(57)【要約】【課題】遊技球を発射させる場合の操作性を高めることが可能な遊技機を提供する。【解決手段】操作ハンドル４７の回動中心軸に対して離間する方向側に突出する第２指掛け部３５２におけるハンドル用バネ３０４の付勢力が作用する反時計回り方向とは逆方向である時計回り方向を向いた面側に、遊技者によって操作ハンドル４７の回動操作とは別の操作をするための調整操作部４３１が設けられている。遊技者自身の手で操作ハンドル４７と調整操作部４３１とに対して互いに反対方向側への力を付加して操作することとなるので、操作ハンドル４７の回動操作中における調整操作部４３１の調整操作が容易となる。【選択図】  図１４
2014042541.tif 000002
【特許請求の範囲】
【請求項１】
遊技者によって回動操作される回動操作部材と、
該回動操作部材を一方の回動方向側へ付勢する付勢手段と、を備えた遊技機において、
前記回動操作部材には、該回動操作部材の回動中心軸に対して離間する方向側に突出する突出部が設けられ、
該突出部における前記付勢手段の付勢力が作用する方向とは逆方向を向いた面側に、遊技者によって前記回動操作とは別の操作をするための第２操作部が設けられていることを特徴とする遊技機。
【請求項２】
前記第２操作部は、通常位置と、該通常位置に対して前記付勢手段の付勢力が作用する方向と同一の方向側に移動する操作位置との間を移動可能であって前記通常位置側に向かう付勢力が付与されていることを特徴とする請求項１記載の遊技機。
【請求項３】
前記第２操作部は、前記回動操作部材の回動中心軸と同一方向側に延び、前記突出部の先端側を中心に回動可能に設けられ、前記第２操作部の操作量の増大に伴って次第に前記付勢手段の付勢力が作用する方向と反対方向側に該第２操作部の外面が向く構成とされていることを特徴とする請求項２記載の遊技機。
【発明の詳細な説明】
【技術分野】
【０００１】
本発明は、パチンコ機等の遊技機に関する。
【背景技術】
【０００２】
遊技機の一種であるパチンコ機は、遊技機本体の前面部に発射操作装置を備えており、発射操作装置が操作されることで発射装置が動作し、遊技領域の上部に遊技球が発射される。従来の発射操作装置は、遊技機本体に固定された基部と、発射操作装置の前面部を構成する前面カバーと、これら基部及び前面カバーの間において回動自在に設けられ、遊技球の発射操作に際して回動操作される操作ハンドルと、を備えている。遊技者は、操作ハンドルの回動操作量を調整し、所望の飛距離となる回動操作位置に操作ハンドルを保持した姿勢を維持して遊技を行う（例えば特許文献１参照）。
【先行技術文献】
【特許文献】
【０００３】
【特許文献１】特開２００６−３０５０７９号公報
【発明の概要】
【発明が解決しようとする課題】
【０００４】
しかしながら、遊技球の発射操作は、遊技者が長時間にわたって実施するものであり、操作性が一層高められて遊技者の利便性が高められることが好ましいものの、その改良が難しいという問題点がある。
【０００５】
本発明は、上記例示した事情等に鑑みてなされたものであり、遊技球を発射させる場合の操作性を高めることが可能な遊技機を提供することを目的とするものである。
【課題を解決するための手段】
【０００６】
上記課題を解決すべく、請求項１記載の発明は、
遊技者によって回動操作される回動操作部材と、
該回動操作部材を一方の回動方向側へ付勢する付勢手段と、を備えた遊技機において、
前記回動操作部材には、該回動操作部材の回動中心軸に対して離間する方向側に突出する突出部が設けられ、
該突出部における前記付勢手段の付勢力が作用する方向とは逆方向を向いた面側に、遊技者によって前記回動操作とは別の操作をするための第２操作部が設けられていることを特徴とする。
【発明の効果】
【０００７】
本発明によれば、遊技球を発射させる場合の操作性を高めることが可能な遊技機を提供することができる。
【図面の簡単な説明】
【０００８】
【図１】パチンコ機の正面図である。
【図２】前方から見たパチンコ機の斜視図である。
【図３】パチンコ機の主要な構成を展開して示す斜視図である。
【図４】パチンコ機の主要な構成を展開して示す斜視図である。
【図５】中間ユニットの正面図である。
【図６】遊技盤の正面図である。
【図７】中間ユニットの背面図である。
【図８】裏パックユニットの背面図である。
【図９】パチンコ機の背面図である。
【図１０】（ａ）は前方から見た発射操作装置の斜視図であり、（ｂ）は発射操作装置の右側面図である。
【図１１】（ａ）は発射操作装置の背面図であり、（ｂ）は発射操作装置の下面図である。
【図１２】発射操作装置の分解斜視図である。
【図１３】前面ユニットを外した状態における発射操作装置の正面図であり、（ａ）は初期状態を示し、（ｂ）は左打ち操作状態を示している。
【図１４】前面ユニットを外した状態における発射操作装置の正面図であり、（ａ）は調整操作状態を示し、（ｂ）は調整操作状態における停止操作状態を示している。
【図１５】前方から見た操作ハンドルの分解斜視図である。
【図１６】後方から見た操作ハンドルの分解斜視図である。
【図１７】ハンドルカバーを外した状態における操作ハンドルの背面図であり、（ａ）は調整操作レバーおよび停止操作レバーが操作されていない状態を示し、（ｂ）は両操作レバーが操作された状態を示している。
【図１８】（ａ）は発射許可状態における発射操作装置の正面図であり、（ｂ）は図１８（ａ）のＸ−Ｘ線における断面図である。
【図１９】（ａ）は停止操作状態における発射操作装置の正面図であり、（ｂ）は図１９（ａ）のＹ−Ｙ線における断面図である。
【図２０】（ａ）は発射操作装置の内部構造を示す正面図であり、（ｂ）は図２０（ａ）に対して一部の部品を外した状態を示す正面図である。
【図２１】（ａ）は左打ち操作状態における発射操作装置の内部構造を示す正面図であり、（ｂ）は最大調整操作をした場合における発射操作装置の内部構造を示す正面図である。
【図２２】（ａ）は最大回動状態における発射操作装置の内部構造を示す正面図であり、（ｂ）は最大回動状態において最大調整操作をした場合における発射操作装置の内部構造を示す正面図である。
【図２３】中央ギヤユニットおよび連動ギヤの分解斜視図である。
【発明を実施するための形態】
【０００９】
以下、本発明の実施形態として、遊技機の一種であるパチンコ遊技機（以下、「パチンコ機」という）を詳細に説明する。図１はパチンコ機１０の正面図、図２はパチンコ機１０を前方から見た斜視図、図３及び図４はパチンコ機１０の主要な構成を展開して示す斜視図、図５は中間ユニット１３の正面図である。なお、図３及び図５では便宜上パチンコ機１０の遊技領域２３ａ内の構成を省略している。
【００１０】
パチンコ機１０は、図３に示すように、当該パチンコ機１０の外殻を形成する外枠１１と、この外枠１１に対して前方に回動可能に取り付けられた遊技機本体１２と、を有する。外枠１１は、木製の板材を上辺および下辺とし、アルミ製の板材を左右の辺とした四辺を固定した枠状に形成される。パチンコ機１０は、外枠１１を島設備に取り付け固定することにより遊技場に設置される。なお、パチンコ機１０において外枠１１は必須の構成ではなく、外枠１１又は外枠１１と同一の内形を有し、外枠１１の遊技機本体１２支持構造および施錠構造を有する部材が遊技場に備え付けられた構成としてもよい。
【００１１】
遊技機本体１２は、図３に示すように、中間ユニット１３と、その中間ユニット１３の前方に配置される前扉枠１４と、中間ユニット１３の後方に配置される裏パックユニット１５とを備えている。遊技機本体１２のうち中間ユニット１３が外枠１１に対して回動可能に支持されている。
【００１２】
中間ユニット１３には、図３に示すように、前扉枠１４が回動可能に支持されており、正面視で左側を回動基端側（開閉基端側）とし、右側を回動先端側（開閉先端側）として前方へ回動可能とされている。また、中間ユニット１３には、図４に示すように、裏パックユニット１５が回動可能に支持されており、正面視で左側を回動基端側（開閉基端側）とし、右側を回動先端側（開閉先端側）として後方へ回動可能とされている。
【００１３】
中間ユニット１３には、図３に示すように、その回動先端部に施錠機構１６が設けられており、遊技機本体１２を外枠１１に対して開放不能に施錠状態とする機能と、前扉枠１４を中間ユニット１３に対して開放不能に施錠状態とする機能を有している。これらの各施錠状態は、図１に示すようにパチンコ機１０前面にて露出させて設けられた施錠機構１６のキーシリンダに対して、解錠キーを用いて解錠操作を行うことにより、それぞれ解除される。
【００１４】
中間ユニット１３は、図３に示すように、外形が外枠１１とほぼ同一形状をなす枠状の枠ユニット２１を主体に構成されている。枠ユニット２１には、前面側より遊技盤２３が着脱可能に取り付けられる内枠としての機能を有し、この遊技盤２３に形成される遊技領域２３ａが中間ユニット１３の前面側に露出可能に取り付けられる。遊技領域２３ａ内の様子は、図３に示すように、前扉枠１４の背面側に設けられた窓パネルユニット３０を通じてパチンコ機１０前方から視認可能となっている。
【００１５】
前扉枠１４は、中間ユニット１３の前面側に回動可能に取り付けられている。前扉枠１４の回動基端側には、図２に示すように、前扉取付金具５７，５８が設けられ、この前扉取付金具５７，５８が中間ユニット１３に係合することにより、中間ユニット１３に対して前扉枠１４が回動可能に支持される。
【００１６】
前扉枠１４は、図３に示すように、中間ユニット１３と外形がほぼ同一の長方形状に形成されている。前扉枠１４には、窓パネルユニット３０の外周縁が正面視で露出しないように窓パネルユニット３０より小さく開口形成された窓部１４ａが設けられる（図１参照）。この窓部１４ａが窓パネルユニット３０によって背面側から覆われることで、窓パネルユニット３０を取り付けた前扉枠１４によって中間ユニット１３の前面側のほぼ全域が覆われる。
【００１７】
窓パネルユニット３０は、図３に示すように、窓部１４ａより大きな外形で透明性を有する前後一対の透明ガラス３１，３２と、これら透明ガラス３１，３２を一体化する固定枠３３とを備えている。固定枠３３は、合成樹脂により透明ガラス３１，３２より一回り大きな環状に形成され、透明ガラス３１，３２の外周縁が固定枠３３に接着されることで窓パネルユニット３０は一体化された複層ガラスとされている。
【００１８】
なお、窓パネルユニット３０は、透明ガラス３１，３２によって無色透明に形成されているが、これに限定されることはなく合成樹脂によって無色透明に形成されていてもよく、パチンコ機１０前方から窓パネルユニット３０を通じて遊技領域２３ａを視認可能であれば無色透明でなく有色透明に形成されていてもよい。
【００１９】
前扉枠１４において窓部１４ａの周囲には、図１に示すように、ＬＥＤ等の発光手段を内蔵した電飾部２４が複数設けられている。これら電飾部２４では、大当たり時や所定のリーチ時等における遊技状態の変化に応じて点灯や点滅が行われる。また、窓部１４ａの上側の電飾部２４には、払出球が不足する等の所定のエラー時に点灯する発光手段と、賞球払出中に点灯する発光手段とが内蔵されている。また、窓部１４ａの右上側および左上側には、遊技状態に応じた効果音などが出力されるスピーカ装置を覆うスピーカカバー２７が設けられている。
【００２０】
前扉枠１４における窓部１４ａの下方には、図２に示すように、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、払出装置２２４より払い出された遊技球を一旦貯留し、一列に整列させながら遊技球発射機構１１０側へ導く機能を有している。また、下皿２９ａは、上皿２８ａ内にて余剰となった遊技球を貯留する機能を有している。
【００２１】
上側膨出部２８における上皿２８ａ（遊技球の貯留領域）の手前側には、遊技者らにより手動操作される操作スイッチ４０が設けられている。操作スイッチ４０は、図柄表示装置９４の表示画面９４ａ等にて遊技者の操作に対応した演出が行われる場合に使用される操作装置である。
【００２２】
前扉枠１４における下側膨出部２９の右側には、図２に示すように、手前側へ突出するようにして発射操作装置４５が設けられている。発射操作装置４５は、遊技領域２３ａに遊技球を発射すべく操作される装置であり、図２に示すように、操作ベース４６に対して、環状の操作ハンドル４７が回転可能に軸支されてなり、遊技球の発射操作に際して操作ハンドル４７が遊技者により回転操作されるものである。この場合、操作ハンドル４７の回転操作量は、操作ベース４６に内蔵された操作量検出手段としての可変抵抗器３０７（図１２参照）により検出される。また、発射操作装置４５には、操作ハンドル４７を遊技者が触れていることを検知するためのタッチセンサ３２１（図１２参照）が操作ベース４６に内蔵されるとともに、操作ハンドル４７を回転操作した状態において遊技球の発射を停止させるために操作される停止操作レバー３３３が設けられている。
【００２３】
前扉枠１４の背面側には、図３に示すように、通路形成ユニット５０が取り付けられている。通路形成ユニット５０は、合成樹脂により成形されており、上皿２８ａに通じる前扉側上皿通路部５１と、下皿２９ａに通じる前扉側下皿通路部５２と、ファール球通路部５５を有している。通路形成ユニット５０の上側隅部には後方に突出し上方に開放された払出球受口部５３が形成されており、当該受口部５３が仕切壁５４によって左右に仕切られることで前扉側上皿通路部５１の通路入口と前扉側下皿通路部５２の通路入口とがそれぞれ形成されている。
【００２４】
ファール球通路部５５は、遊技球発射機構１１０から発射された遊技球のうち遊技領域２３ａまで至らなかった遊技球をファール球として下皿２９ａに排出する通路を形成する部位である。ファール球通路部５５には、図３に示すように、上方に開放されたファール球受口部５６が設けられる。このファール球受口部５６よりファール球が受け入れられ、前扉側下皿通路部５２にファール球が案内されることにより、ファール球通路部５５に入った遊技球は下皿２９ａに排出される。
【００２５】
遊技球発射機構１１０は、図３に示すように、前扉枠１４を開放した場合に前面側に露出される部品であり、中間ユニット１３の前面側右下部分に設けられている。この遊技球発射機構１１０は、図５に示すように、発射装置として設けられた電磁式のソレノイド１１１と、発射レール１１２と、球送り装置１１３とを備えている。球送り装置１１３は、上皿２８ａに貯留された遊技球を発射レール１１２上に１個ずつ供給する。この場合、この供給される遊技球はソレノイド１１１において打出し部として設けられたプランジャ１１４の突出経路上に配置される。そして、ソレノイド１１１への電気的な信号の入力により、プランジャ１１４が発射レール１１２上の遊技球に向けて移動し、当該遊技球は遊技領域２３ａに向けて打出される。なお、遊技球発射機構１１０の電動アクチュエータは、ソレノイド１１１に限定されることはなく、発射モータなどを用いてもよい。
【００２６】
中間ユニット１３の左側であって発射レール１１２の左方には、図３に示すように、通路形成部材１２１が配設されている。枠ユニット２１には、通路形成部材１２１が設けられる部位を前後方向に貫通する貫通孔が設けられ、この貫通孔を前面側から覆うようにして通路形成部材１２１は、枠ユニット２１にネジ止めされている。
【００２７】
通路形成部材１２１は、図５に示すように、本体側上皿通路部１２２と本体側下皿通路部１２３とを有している。前扉枠１４が閉鎖状態とされた場合には、通路形成部材１２１の下側部分に前扉枠１４に設けられる通路形成ユニット５０の払出球受口部５３（図３参照）が入り込む。そして、本体側上皿通路部１２２の下方には前扉側上皿通路部５１が配置され、本体側下皿通路部１２３の下方には前扉側下皿通路部５２が配置される。
【００２８】
通路形成部材１２１の下側部分には、図５に示すように、本体側上皿通路部１２２及び本体側下皿通路部１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能に設けられる。また、枠ユニット２１には、シャッタ１２４を阻止位置に向けて付勢する付勢部材が取り付けられ、前扉枠１４を中間ユニット１３に対して開いた状態では付勢部材の付勢力によってシャッタ１２４が阻止位置に留まる構成となっている。これにより、本体側上皿通路部１２２又は本体側下皿通路部１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた払出球受口部５３の外周部分により上記付勢力に抗してシャッタ１２４が許容位置に押し戻される。この状態では、本体側上皿通路部１２２及び前扉側上皿通路部５１が連通し、本体側下皿通路部１２３及び前扉側下皿通路部５２が連通して、遊技球の流下が許容される。
【００２９】
次に、遊技領域２３ａを形成する遊技盤２３の構成を、図６に基づいて説明する。図６は遊技盤２３の正面図である。
【００３０】
遊技盤２３は、木製の合板で形成した板材と同板材の前側の板面を覆うシート材とを有する遊技板２３ｂを備えており、その全面が枠ユニット２１の前面側に露出している。この露出している部位、すなわち遊技盤２３の前面には、遊技球が流下する遊技領域２３ａが形成されている。上記したように遊技領域２３ａは透明ガラス３１，３２によって前面側が覆われているため、後側の透明ガラス３２によって遊技領域２３ａの前面側が区画される。また、遊技領域２３ａの背面側は遊技板２３ｂの前面によって区画される。なお、遊技板２３ｂを構成する板材は、合板に限らず一枚板で形成しても良いし、木製に限らず例えば透明な合成樹脂製の板材または成形品で形成しても良い。
【００３１】
遊技領域２３ａは、正面視において遊技盤２３の全域に渡る上下及び左右方向の寸法に設定され、右下部分のみが右下側に突出した略円形状に形成されている。遊技領域２３ａは、その外周が誘導レール１００および区画部材１０７により区画されている。誘導レール１００は、遊技盤２３の左側全域に及ぶ大きさの円弧状の内レール１０１と外レール１０２とからなり、これら内レール１０１と外レール１０２とにより遊技領域２３ａの左側に円弧状の誘導通路１０３を形成する。
【００３２】
誘導通路１０３の下側端部には、誘導通路１０３の入口部１０４が形成され、この入口部１０４と発射レール１１２とは離間して設けられる（図５参照）。誘導通路１０３の上側端部には、誘導通路１０３の出口部１０５が形成され、その出口部１０５の右上側には遊技領域２３ａに到達した遊技球の誘導通路１０３内への戻りを防止する戻り防止部材１０６が取り付けられている。
【００３３】
発射操作装置４５（図１参照）の操作ハンドル４７が遊技者により手動操作された場合、中間ユニット１３の右下部分に設けられた遊技球発射機構１１０（図５参照）から発射された遊技球は、誘導通路１０３を経由し、誘導通路１０３の出口部１０５において戻り防止部材１０６により閉鎖された遊技領域２３ａの入口を押し広げて遊技領域２３ａ内に進入する。遊技球の発射力が弱すぎる場合には、遊技球が遊技領域２３ａまで至らず誘導通路１０３内で落下し始め、誘導通路１０３の入口部１０４と発射レール１１２との間に落下する。前扉枠１４の閉鎖状態においては、この入口部１０４と発射レール１１２との間にファール球受口部５６が配置され、遊技領域２３ａまで至らなかった遊技球はファール球通路部５５を経由して下皿２９ａへ排出される。
【００３４】
区画部材１０７は、遊技領域２３ａの右側を区画するものであり、合成樹脂を成形して縦長に形成され、遊技板２３ｂの前面にネジ止めされている。この区画部材１０７は、外レール１０２の上側における右側端部を起点とし、内レール１０１の下側における右側端部より下側まで延在している。
【００３５】
なお、区画部材１０７の上端部には、機種名が印字された証紙１０７ａが貼り付けられ、区画部材１０７の下端部には、メーカー名や製造番号などが印字された証紙１０７ｂを貼り付けた台座部品が固定されている。これら証紙１０７ａ，１０７ｂは、透明ガラス３１，３２を介してパチンコ機１０前方から視認可能な位置に配置される。
【００３６】
遊技板２３ｂには、ルータ加工が施されることによって前後方向に貫通する大小複数の開口部が形成されている。各開口部には一般入賞口８１、可変入賞装置８２、上作動口８３ａ、下作動口８３ｂ、スルーゲート８４、可変表示ユニット８５、主表示装置９６等が設けられている。
【００３７】
一般入賞口８１、可変入賞装置８２、上作動口８３ａ及び下作動口８３ｂへの入球が発生すると、それが遊技盤２３の背面側に配設された検知センサ（図示略）により検知され、その検知結果に基づいて所定数の賞球の払い出しが実行される。この場合、上作動口８３ａへの入球が発生した場合及び下作動口８３ｂへの入球が発生した場合には３個の賞球の払い出しが実行され、一般入賞口８１への入球が発生した場合には１０個の賞球の払い出しが実行され、可変入賞装置８２への入球が発生した場合には１５個の賞球の払い出しが実行される。但し、これら賞球の個数は任意であり、例えば上作動口８３ａに係る賞球個数よりも下作動口８３ｂに係る賞球個数が多いといったように、両作動口８３ａ，８３ｂの賞球個数が相違していてもよい。また、可変入賞装置８２に係る賞球個数が他の賞球個数に比べて多い構成に限定されることはなく、例えば一般入賞口８１に係る賞球個数と同一の構成としても良く、少ない構成としても良い。
【００３８】
遊技領域２３ａの中央部には、可変表示ユニット８５が設けられ、可変表示ユニット８５の構成部品として、絵柄の一種である図柄を変動表示（又は、可変表示若しくは切換表示）する図柄表示装置９４が遊技板２３ｂの背面側に設けられ、正面視で図柄表示装置９４の表示画面９４ａを囲むように設けられるセンターフレーム９５が遊技板２３ｂの前面側より取り付けられている。図柄表示装置９４の前面側であってセンターフレーム９５の後側には、ポリカーボネート等の透明な合成樹脂材料により形成された透明保護板が設けられ、図柄表示装置９４の表示画面９４ａは、その透明保護板を介して前面側から視認可能とされている。
【００３９】
遊技領域２３ａは、その中央部にセンターフレーム９５が設けられることで、センターフレーム９５の左右両側に位置する左側領域ＰＥ１と右側領域ＰＥ２とに区画され、遊技領域２３ａに発射された遊技球は、左側領域ＰＥ１または右側領域ＰＥ２のいずれか一方を流下することとなる。左側領域ＰＥ１および右側領域ＰＥ２の下側には、両領域から流下した遊技球が合流して流下する下側領域ＰＥ３が遊技領域２３ａの一部として設けられている。
【００４０】
遊技領域２３ａへ遊技球が到達する回動量に操作ハンドル４７が操作されると、左側領域ＰＥ１または右側領域ＰＥ２のいずれか一方を遊技球が流下する。操作ハンドル４７の操作量が少なく、センターフレーム９５の一番上側の部位を超えない発射力となる回動操作量で遊技球が発射されると、遊技球は遊技領域２３ａの入口に近い左側領域ＰＥ１を流下する。その操作量より操作ハンドル４７の操作量が多く、センターフレーム９５の一番上側の部位を確実に超える発射力となる回動操作量で遊技球が発射されると、遊技球は右側領域ＰＥ２を流下する。それらの間部分に相当する回動操作量の場合には、遊技球は、左側領域ＰＥ１と右側領域ＰＥ２との両方に分散して流下する。遊技者は、操作ハンドル４７の回動操作量を調整することで、左側領域ＰＥ１と右側領域ＰＥ２とのいずれの領域を遊技球が流下するかを選択して遊技を行うことができる。
【００４１】
ここで、左側領域ＰＥ１を遊技球が流下する割合と、右側領域ＰＥ２を遊技球が流下する割合とが同一となる操作ハンドル４７の回動操作量を基準回動量とし、基準回動量より少ない回動操作量を第１範囲の回動操作量とし、基準回動量より多い回動操作量を第２範囲の回動操作量とする。第１範囲の回動操作量においては、左側領域ＰＥ１を遊技球が流下する割合が高くなり、第２範囲の回動操作量においては、右側領域ＰＥ２を遊技球が流下する割合が高くなる。また、基準回動量に対して、操作ハンドル４７の回動操作量が近づくほど、左側領域ＰＥ１と右側領域ＰＥ２との両方の領域を遊技球が流下する場合が多くなり、逆に、基準回動量と操作ハンドル４７の回動操作量との差が大きくなると、左側領域ＰＥ１または右側領域ＰＥ２のいずれか一方側を遊技球が流下し、逆側は遊技球が流下しないようになる。この基準回動量として、本実施形態においては、例えば７０度に設定され、５０度以下の操作量においては左側領域ＰＥ１のみを遊技球が流下する左打ち操作状態とされ、９０度以上の操作量においては右側領域ＰＥ２のみを遊技球が流下する右打ち操作状態となる設定とされている。
【００４２】
遊技盤２３の最下部には、アウト口８６が設けられ、左側領域ＰＥ１または右側領域ＰＥ２を流下して最終的に各種入賞口等に入らなかった遊技球はアウト口８６を通って遊技領域２３ａから排出される。遊技領域２３ａには、遊技球の落下方向を適宜分散、調整等するために多数の釘８７が植設され、風車等の各種部材（役物）が配設されている。
【００４３】
ここで、入球とは、所定の開口部を遊技球が通過することを意味し、開口部を通過した後に遊技領域２３ａから排出される態様だけでなく、開口部を通過した後に遊技領域２３ａから排出されない態様も含まれる。但し、以下の説明では、アウト口８６への遊技球の入球と明確に区別するために、一般入賞口８１、可変入賞装置８２、上作動口８３ａ、下作動口８３ｂ又はスルーゲート８４への遊技球の入球を、入賞とも表現する。
【００４４】
上作動口８３ａ及び下作動口８３ｂは、作動口装置としてユニット化されて遊技盤２３に設置されている。上作動口８３ａ及び下作動口８３ｂは共に上向きに開放されている。また、上作動口８３ａが上方となるようにして両作動口８３ａ，８３ｂは鉛直方向に並んでいる。下作動口８３ｂには、左右一対の可動片よりなるガイド片（サポート片）としての電動役物８３ｃが設けられている。
【００４５】
上作動口８３ａおよび下作動口８３ｂは、遊技領域２３ａの下側領域ＰＥ３に設けられている。上作動口８３ａは、センターフレーム９５の下部に設けられて遊技球が上面を転動するステージの直下に配置され、センターフレーム９５で形成された誘導通路（図示略）を介してステージ上に誘導され、誘導通路を経由しない遊技球より上作動口８３ａへ入賞しやすい構成とされている。この誘導通路の入口は、センターフレーム９５において左側領域ＰＥ１に面する左側部分に設けられ、また、ステージの下側から飛び込む遊技球として、左側領域ＰＥ１からの方がステージに飛び込み易い釘８７の配置とされている。すなわち、左側領域ＰＥ１を遊技球が流下した場合の方が、右側領域ＰＥ２を遊技球が流下する場合に比べて上作動口８３ａへの入賞が発生しやすい設定とされている。
【００４６】
電動役物８３ｃは遊技板２３ｂの背面側に搭載された電動役物駆動部に連結されており、当該電動役物駆動部により駆動されて閉鎖状態（非サポート状態又は非ガイド状態）及び開放状態（サポート状態又はガイド状態）のいずれかに配置される。電動役物８３ｃの閉鎖状態では遊技球が下作動口８３ｂに入賞できず、電動役物８３ｃが開放状態となることで下作動口８３ｂへの入賞が可能となる。電動役物８３ｃは、下側領域ＰＥ３で左右両側に開放可能とされ、左側領域ＰＥ１を流下した遊技球および右側領域ＰＥ２を流下した遊技球のいずれも入賞可能とされている。
【００４７】
スルーゲート８４は、右側領域ＰＥ２に設けられ、遊技領域２３ａの入口から遠い側へ届く一定以上の強い発射力で発射された遊技球が入球可能に構成されている。スルーゲート８４の下側には、可変入賞装置８２が設けられ、可変入賞装置８２も右側領域ＰＥ２に設けられている。
【００４８】
可変入賞装置８２は、通常は遊技球が入賞できない又は入賞し難い閉状態になっており、大当たり当選といった開閉実行モード（特別遊技状態）への移行当選となった際に、遊技球が入賞しやすい所定の開放状態に切り換えられるようになっている。可変入賞装置８２の開放態様として具体的には、所定時間（例えば３０秒間）の経過又は所定個数（例えば１０個）の入賞を１ラウンドとして、複数ラウンド（例えば１５ラウンド）を上限として可変入賞装置８２が繰り返し開放される。
【００４９】
スルーゲート８４および可変入賞装置８２は、遊技領域２３ａの右側領域ＰＥ２に設けられ、右側領域ＰＥ２を遊技球が流下するように一定以上に強い発射力で遊技球が発射された場合にスルーゲート８４および可変入賞装置８２に遊技球が入賞する。スルーゲート８４に遊技球を入球させた場合に電動役物８３ｃが遊技者にとって有利な開放状態とされ易い遊技状態（いわゆる時短遊技状態）や、可変入賞装置８２が開閉実行モードとされる特別遊技状態等、遊技領域２３ａの右側領域ＰＥ２に遊技球を流下させた場合に遊技者にとって有利となる遊技状態においては、遊技者は、右側領域ＰＥ２を数多く遊技球が流下するように基準回動量を超える第２範囲の回動操作量で操作ハンドル４７を操作する。これに対し、上作動口８３ａに遊技球を多く入賞させて内部抽選の当選を期待する通常の遊技状態においては、遊技者は、左側領域ＰＥ１を数多く遊技球が流下するように基準回動量より少ない第１範囲の回動操作量で操作ハンドル４７を操作して遊技を実行することとなる。この遊技者にとって有利となる回動操作量は図柄表示装置９４やスピーカの音声によって遊技者に報知され、遊技状態が切り替わるときに、例えば、「右打ちをしてください。」または、「左打ちをしてください。」と遊技者に表示または音声によって報知し、或いは、遊技者によって不利となる側に遊技球が発射されていることが、スルーゲート８４の通過や一般入賞口８１の入賞によって遊技機が認識した場合に、上記した報知が実行されて遊技者に有利となる操作ハンドル４７の回動操作量が遊技者に示唆される。
【００５０】
図柄表示装置９４は、液晶ディスプレイを備えた液晶表示装置として構成されており、表示制御装置１４２により表示内容が制御される。なお、図柄表示装置９４は、液晶表示装置に限定されることはなく、プラズマディスプレイ装置、有機ＥＬ表示装置又はＣＲＴといった表示画面を有する他の表示装置であってもよく、ドットマトリクス表示器であってもよい。
【００５１】
図柄表示装置９４では、上作動口８３ａ又は下作動口８３ｂへの入賞に基づいて図柄の変動表示が開始される。図柄表示装置９４における変動表示は、正面視で視認可能な視認可能領域３００ａにおいて行われ、例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。この図柄表示装置９４における変動表示は、主表示装置９６のメイン表示部において行われる変動表示に合わせて行われる。
【００５２】
可変表示ユニット８５に対して右上側には、遊技の状態を表示する主表示装置９６が設けられる。主表示装置９６は、複数の発光部が並んで配列されてなる表示器によって構成され、区画部材１０７の上端部に設けられ、その前面側には、例えば、左上側からメイン表示部、役物用表示部、状態表示部、保留表示部、補助表示部等が順に設けられる。
【００５３】
メイン表示部では、上作動口８３ａ又は下作動口８３ｂへの入賞をトリガとして絵柄の変動表示が行われ、その変動表示の停止結果として、上作動口８３ａ又は下作動口８３ｂへの入賞に基づいて行われた内部抽選の結果が表示によって明示される。つまり、本パチンコ機１０では、上作動口８３ａへの入賞と下作動口８３ｂへの入賞とが内部抽選において区別されておらず、上作動口８３ａ又は下作動口８３ｂへの入賞に基づいて行われた内部抽選の結果が共通の表示領域であるメイン表示部にて明示される。そして、上作動口８３ａ又は下作動口８３ｂへの入賞に基づく内部抽選の結果が開閉実行モードへの移行に対応した当選結果であった場合には、主表示装置９６のメイン表示部にて所定の停止結果が表示されて変動表示が停止された後に、開閉実行モードへ移行する。
【００５４】
ここで、いずれかの作動口８３ａ，８３ｂへの入賞に基づいて、メイン表示部及び図柄表示装置９４にて変動表示が開始され、所定の停止結果を表示し上記変動表示が停止されるまでが遊技回の１回に相当する。
【００５５】
役物用表示部では、スルーゲート８４への入賞をトリガとして絵柄の変動表示が行われ、その変動表示の停止結果として、スルーゲート８４への入賞に基づいて行われた内部抽選の結果が表示によって明示される。スルーゲート８４への入賞に基づく内部抽選の結果が電役開放状態への移行に対応した当選結果であった場合には、役物用表示部にて所定の停止結果が表示されて変動表示が停止された後に、電役開放状態へ移行する。電役開放状態では、下作動口８３ｂに設けられた電動役物８３ｃが所定の態様で開放状態となる。
【００５６】
補助表示部は、メイン表示部と同一の態様とされた発光部が設けられ、本実施形態におけるパチンコ機１０においては、消灯されたままとされている。この補助表示部は、本実施形態におけるパチンコ機１０とは別の他機種において上作動口８３ａへの入賞に対する内部抽選と下作動口８３ｂへの入賞に対する内部抽選とが区別される場合に点灯するものであり、メイン表示部を複数必要とする機種において使用される。
【００５７】
状態表示部は、メイン表示部にて所定の停止結果が表示されることで遊技状態が開閉実行モードへ移行し、その所定の停止結果の表示後における遊技回が所定回数に到達する等して遊技状態が開閉実行モード前の通常状態に移行する場合に、その遊技状態の変化が表示によって明示される。また、状態表示部では、開閉実行モードの移行当選となった場合に可変入賞装置８２の開放態様として複数種類のラウンド数が設定されている機種において移行当選となったラウンド数が表示によって明示される。
【００５８】
保留表示部は、遊技球が上作動口８３ａ又は下作動口８３ｂに入賞した個数および遊技球がスルーゲート８４を通過した回数のうち未だ遊技が実行されていない保留状態の遊技回数を表示によってそれぞれ明示する。遊技球が上作動口８３ａ又は下作動口８３ｂに入賞した個数および遊技球がスルーゲート８４を通過した回数はそれぞれ最大４個まで保留され、保留表示部によって各保留数がそれぞれ表示される。保留表示部の保留数に対応した情報は、図柄表示装置９４の表示画面にも表示され、保留数が数字又はキャラクタの個数などにより表示される。
【００５９】
なお、メイン表示部、役物用表示部、補助表示部、状態表示部および保留表示部は、複数の発光部が所定の態様で配列されてなる表示器により構成されているが、これに限定されることはなく、いずれか一方または両方の表示部を液晶表示装置、有機ＥＬ表示装置、ＣＲＴ、セグメント表示器又はドットマトリックス表示器等その他のタイプの表示装置によって構成してもよい。また、メイン表示部および役物用表示部にて変動表示される態様として、絵柄としての複数種の文字が変動表示される構成、複数種の記号が変動表示される構成、複数種のキャラクタが変動表示される構成又は複数種の色が切り換え表示される構成としても良い。
【００６０】
次に、遊技機本体１２の背面側の構成について、図４に加え、図７から図９を参照しながら説明する。図７は中間ユニット１３の背面図、図８は裏パックユニット１５の背面図、図９はパチンコ機１０の背面図である。
【００６１】
中間ユニット１３には、図７に示すように、枠ユニット２１によって開口形成される前後に貫通した遊技盤収容部２１ａが設けられ、この遊技盤収容部２１ａを通じて中間ユニット１３の背面側には遊技盤２３の背面側に搭載される各種部品が露出されている。
【００６２】
中間ユニット１３の背面側には、図４に示すように、合成樹脂により形成された箱状の盤裏カバー１４１が設けられている。盤裏カバー１４１は、遊技盤２３の背面のほぼ全域にわたって設けられ、遊技盤２３の背面側に設けられる各種部品を遊技球や搬送時において保護すると共に、遊技球の入賞を検知する検知センサ等を狙った不正を防止する機能を有している。
【００６３】
中間ユニット１３の背面側中央部には、図４に示すように、表示制御装置１４２と音声発光制御装置１４３とが前後に並んで設けられ、その下側には、遊技の主たる制御を司る主制御装置１６０が設けられている。表示制御装置１４２は、図柄表示装置９４の表示制御を司るものであり、音声発光制御装置１４３は、主制御装置１６０からの指示に従って音声やＬＥＤ、ランプ等の表示制御及び表示制御装置１４２の制御を司るものである。
【００６４】
主制御装置１６０は、図７に示すように、遊技の主たる制御を司る機能（主制御回路）と、電源を監視する機能（停電監視回路）とを有する主制御基板と、基板を収容するために設けられた透明性を有する樹脂製の基板ボックス１６３を備えている。また、主制御装置１６０には、基板ボックス１６３の開放に際して痕跡を残す痕跡手段としての開放封印部１６４が設けられている。当該開放封印部１６４は解除操作を一度行うと再結合を不可とするものであり、結果的に主制御装置１６０の基板ボックス１６３は一度開放操作を行うと、再度封印状態とすることが不可となっている。
【００６５】
主制御装置１６０の背面視右側端部には、図７に示すように、取付封印部１６５が設けられている。取付封印部１６５は、遊技盤２３側に設けられる支持部材と主制御装置１６０とを固定し、主制御装置１６０の取り外しに際して痕跡を残す痕跡手段として機能する。取付封印部１６５は、最初に主制御装置１６０を取り付けるための固定部品以外に、予備用の固定部品が３組設けられ、主制御装置１６０の点検作業における一時的な取り外しや主制御装置１６０の交換が可能とされている。
【００６６】
主制御装置１６０の背面視左部には、ＲＡＭ消去スイッチ１６６が設けられている。本パチンコ機１０は、各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持され、ＲＡＭ消去スイッチ１６６を押しながら電源を投入すると、ＲＡＭデータが初期化されるようになっている。
【００６７】
枠ユニット２１の背面における回動基端側（図７の右側）には、上下に離間して支持金具１３２が設けられ、各支持金具１３２の上端部に形成される軸受け部１３３によって中間ユニット１３に対して裏パックユニット１５が回動可能に取り付けられる。また、枠ユニット２１の背面には、裏パックユニット１５を中間ユニット１３に固定するための固定レバー１３４が回動先端側（図７の左側）に複数設けられている。
【００６８】
次に、裏パックユニット１５について説明する。裏パックユニット１５は、図８に示すように、透明性を有する合成樹脂により形成された裏パック２０１と、払出ユニット２０２と、外部端子板２０３とを備えている。
【００６９】
裏パック２０１は、図８に示すように、裏パック２０１の周縁部を構成する裏ベース部２１１と、裏ベース部２１１から後方へ張り出すようにして形成された保護カバー部２１２とを有している。保護カバー部２１２は、左右側面と上面の全部が閉鎖され、背面下部から下面につながる一部分が開放された形状をなし、保護カバー部２１２の下側部分に前後方向に貫通した開口部２１２ａが形成されている。
【００７０】
外部端子板２０３は、図８に示すように、後方から見た裏パックユニット１５の右上側端部に設けられている。外部端子板２０３は、パチンコ機１０の状態を遊技ホールの管理コンピュータに認識させるために、所定の信号出力を行うための基板である。外部端子板２０３には、出力端子として、開閉実行モード中に信号出力するための出力端子、下作動口８３ｂの電動役物８３ｃが高頻度で開放状態となる電役開放状態中に信号出力するための出力端子、払出ユニット２０２において遊技球が不足した場合に信号出力するための出力端子、所定個数の賞球を払い出す毎に信号出力するための出力端子、所定個数の遊技球を貸し出す毎に信号出力するための出力端子、外枠１１に対する中間ユニット１３の開放時に信号出力するための出力端子、中間ユニット１３に対する前扉枠１４の開放時に信号出力するための出力端子などが設けられている。
【００７１】
裏パックユニット１５における背面視右側端部には、図８に示すように、上下一対の掛止ピン２０４が取り付けられている。この掛止ピン２０４を中間ユニット１３側の軸受け部１３３に挿通させることで、裏パックユニット１５が掛止ピン２０４を中心にして中間ユニット１３に対して回動可能に支持される。裏ベース部２１１における掛止ピン２０４が配置されていない反対側の端部には、中間ユニット１３に設けられた固定レバー１３４が挿通される挿通部２１１ａが上下に形成されている。固定レバー１３４が挿通部２１１ａに挿通されて９０度回転させた状態にすることで、固定レバー１３４の一部が裏ベース部２１１に後方から当接し、中間ユニット１３に裏パックユニット１５が固定される。
【００７２】
裏パックユニット１５は、上記したとおり、中間ユニット１３の背面に対して回動可能に軸支されている。裏パックユニット１５を中間ユニット１３に対して背面側から重ね合わせた状態では、図９に示すように、主制御装置１６０の大半は開口部２１２ａを介して背面側に露出し、主制御装置１６０の上端部及び開放封印部１６４の一部は保護カバー部２１２により覆われている。主制御装置１６０の上端部には他の制御装置と電気的に接続するためのコネクタおよび配線が設けられ、この配線に関する部位や開放封印部１６４の一部が保護カバー部２１２に覆われることで、主制御装置１６０の視認性を高めつつ、不正行為の抑制および遊技球の衝突による破損防止等を実現している。主制御装置１６０の上側に配置される音声発光制御装置１４３等は、保護カバー部２１２により全体が覆われている。
【００７３】
裏パックユニット１５は、図８に示すように、保護カバー部２１２を迂回するようにして裏ベース部２１１に取り付けられている払出ユニット２０２を備えている。払出ユニット２０２は、裏パック２０１の最上部に設けられて遊技球を貯留可能に上方に開口したタンク２２１と、タンク内２２１の遊技球を下流側に向けて案内可能に緩やかに傾斜するタンクレール２２２と、タンクレール２２２の下流側にて上下方向に遊技球を案内するケースレール２２３と、ケースレール２２３の最下流部に設けられる払出装置２２４とを有し、これらが連結することでタンク２２１に補給された遊技球を必要数分だけ払出装置２２４の下流側に払い出し可能とされている。払出装置２２４によって払い出された遊技球は、払出装置２２４の下流側に設けられた裏側通路部２２５に供給される（図４参照）。
【００７４】
裏側通路部２２５には、払出装置２２４より払い出された遊技球を上皿２８ａ、下皿２９ａ又は排出通路の何れかに振り分けるための３つの通路が形成されている。これら通路のうち、裏パック２０１の中央側に位置する通路が上記した本体側上皿通路部１２２及び前扉側上皿通路部５１を介して上皿２８ａに通じ、その外側の通路が本体側下皿通路部１２３及び前扉側下皿通路部５２を介して下皿２９ａに通じ、更に外側の通路が排出通路とされている。払出装置２２４によって払い出された遊技球は、上皿２８ａの通路に優先して案内され、その通路が遊技球で満たされると、その通路から分岐した下皿２９ａに通じる通路に遊技球が案内される。排出通路は、ケースレール２２３に対して排出操作を行うことにより、タンク２２１からケースレール２２３の途中までの間に貯留された遊技球が払出装置２２４を経由せずに裏パックユニット１５の下端に設けられる排出口から排出される。
【００７５】
裏ベース部２１１の背面側下端部には、図８に示すように、各種制御装置等で要する所定の電力を生成して出力する電源装置２４１と、払出制御装置２４２とが前後に重ねて取り付けられている。電源装置２４１は、裏ベース部２１１の横幅全域にわたって設けられている。裏ベース部２１１の背面視右下側端部には、電源スイッチ２４７が設けられている。パチンコ機１０へは電圧変換器を介して例えば交流２４ボルトの主電源が供給され、電源スイッチ２４７の切換操作によりパチンコ機１０の電源がＯＮ又はＯＦＦとされる。
【００７６】
払出制御装置２４２は、払出ユニット２０２を通じた遊技球の払い出しを制御するための装置である。払出制御装置２４２は、基板を収容するために設けられた透明性を有する基板ボックス２４３に払出制御基板を収容して構成されており、その開放に際しては痕跡を残す痕跡手段として開放封印部２４４が設けられている。開放封印部２４４は解除操作を一度行うと再結合を不可とするものであり、結果的に払出制御装置２４２の基板ボックス２４３は一度開放操作を行うと、再度封印状態とすることが不可となっている。
【００７７】
裏ベース部２１１の前面側すなわち中間ユニット１３側の下部には、図４に示すように、上方に開口した横長の球入口２１３と、側方に開口した球入口２１４とを上流側端部とする発射球排出通路が設けられている。遊技領域２３ａを流下しいずれかの開口を介して遊技盤２３の背面へと導かれた遊技球は、２つの球入口２１３，２１４のいずれかを経由して発射球排出通路内へ進入する。発射球排出通路の出口部分は裏パックユニット１５の下端面に遊技球１個分の幅で開口して形成され、遊技領域２３ａ内に発射された遊技球は全て発射球排出通路を経由して遊技ホールの島設備に排出される。発射球排出通路の途中には、遊技球を検知する検知センサが設けられ、遊技領域２３ａ内に発射された遊技球数に対応した信号が外部端子板２０３を介して出力される。
【００７８】
次に、発射操作装置４５の構成について詳細に説明する。図１０（ａ）は前方から見た発射操作装置４５の斜視図であり、図１０（ｂ）は発射操作装置４５の右側面図である。図１１（ａ）は発射操作装置４５の背面図であり、図１１（ｂ）は発射操作装置４５の下面図である。図１２は、発射操作装置４５の分解斜視図である。図１３は、前面ユニット３０２を外した状態における発射操作装置４５の正面図であり、図１３（ａ）は、操作ハンドル４７の初期状態を示し、図１３（ｂ）は、操作ハンドル４７を時計回りに４５度回動操作した左打ち操作状態を示している。
【００７９】
発射操作装置４５は、前扉枠１４に固定される操作ベース４６と、発射操作装置４５の前面側を構成する前面ユニット３０２と、操作ベース４６および前面ユニット３０２の間に設けられ、遊技球の発射操作に際して回動操作される操作ハンドル４７とを備えている。
【００８０】
操作ベース４６は、図１２に示すように、ＡＢＳ樹脂などの不透明な材料により前後方向を中心軸とする円筒状に形成された胴部３１１と、その胴部３１１の前面側にて胴部３１１とネジにより一体化される大径部３１２とを備えている。大径部３１２は、胴部を形成する円筒の中心軸の軸方向に沿って中心が位置する円筒状の外周形状に形成され、その後側部分に胴部３１１の外径と略同一とされた取付部を有し、取付部の後側面に胴部３１１が複数のネジによりネジ止め固定される。大径部３１２の前側部分は、胴部３１１より大きな直径の外径にて前側に円筒状に突出し、その円筒部分の内径は、外径に対して操作ベース４６の厚み分縮小された寸法とされ、半径方向に厚みを有する円筒形状により大径部３１２の前側部分の前側外周部３１２ａが形成されている。操作ハンドル４７の後側には、前側外周部３１２ａの内側及び外側と前側とを囲う断面コ字状で前側外周部３１２ａと略同一の径方向の寸法に設定され、後側に開放したハンドル側円周溝４７ａが設けられ、操作ハンドル４７のハンドル側円周溝４７ａ内に前側外周部３１２ａが嵌まることで操作ハンドル４７は、操作ベース４６に対して回動可能に支持される（図１８（ｂ）参照）。
【００８１】
操作ハンドル４７は、図１２に示すように、ハンドル本体３３１と、ハンドル本体３３１の背面側に設けられるハンドルカバー３３２と、ハンドル本体３３１とハンドルカバー３３２とに挟まれて設けられる停止操作レバー３３３および調整操作レバー３３４と、調整操作レバー３３４に連動する調整伝達部材３３５とを備え、これらが一体化されている。停止操作レバー３３３および調整操作レバー３３４は、遊技者によって操作ハンドル４７の回動操作とは別の操作をするために設けられる部材であり、その詳細については後述する。
【００８２】
ハンドル本体３３１は、操作ハンドル４７の外形を形成するＡＢＳ樹脂製の部材である。ハンドル本体３３１の周面全体には、金属膜がメッキにより形成され、遊技者がハンドル本体３３１に触れたことがタッチセンサ３２１によって検出可能とされている。なお、ハンドル本体３３１の周面全体に金属膜がメッキにより形成されなくても、遊技者が操作の際に触れやすいハンドルの外周面の突起部分等一部分にのみ金属膜が設けられても良いし、ハンドル本体３３１をアルミ等の金属により形成しても良い。
【００８３】
ハンドル本体３３１は、内側環部３４１と外側環部３４２とが同心円となるように一体形成された二重の環形状を有する構成とされている。内側環部３４１の中央部には、ハンドル本体３３１の軸線方向に貫通したハンドル側軸孔部３４３が設けられ、このハンドル側軸孔部３４３の内周面側に前面ユニット３０２側から円筒状に突出する前側筒状軸３０２ａ（図１８（ｂ）参照）が嵌まり込み、ハンドル側軸孔部３４３の中心を軸として操作ハンドル４７の前側中央部分が回動可能に支持される。
【００８４】
ハンドル本体３３１には、図１３（ａ）に示すように、その外側環部３４２の外周面に正面視略三角形状でハンドル本体３３１の回動中心軸Ｃに対する径方向に突出する４つの指掛け部３５１〜３５４が形成されている。４つの指掛け部３５１〜３５４は、初期状態において左側に突出し、他の指掛け部３５２〜３５４より大きく形成された第１指掛け部３５１が設けられ、この第１指掛け部３５１に対して正面視時計回りに離間するようにして順に第２指掛け部３５２、第３指掛け部３５３、第４指掛け部３５４が次第に小さくなる大きさで設けられている。各指掛け部３５１〜３５４は、正面視反時計回りの方向側を向いた操作面が円弧状に凹んだ形状とされ、この操作面に遊技者の指が当接して、ハンドル本体３３１が回動操作される。ハンドル本体３３１が設けられる発射操作装置４５は、パチンコ機１０の右下側に設けられ、右手で操作されることを想定し、第１指掛け部３５１の操作面には、親指が掛けられ、第２指掛け部３５２に対して人差し指、第３指掛け部３５３に対して中指、第４指掛け部３５４に対して薬指または小指が掛けられる等、複数の指で操作されることを想定している。各指掛け部３５１〜３５４における操作面とは逆側となる面は、各指掛け部３５１〜３５４の頂部から回動中心軸Ｃに徐々に近づくように高さが次第に低くなるように形成されている。
【００８５】
ハンドル本体３３１における内側環部３４１と外側環部３４２とは、図１２に示すように、ハンドル本体３３１の回動中心軸Ｃを中心とした両側に設けられる連結部３４５，３４６により連結されている。これら連結部３４５，３４６と、内側環部３４１の外周面および外側環部３４２の内周面によって、ハンドル本体３３１には、ハンドル側軸孔部３４３を中心とした２つの円弧状のガイド孔３４７，３４８がハンドル本体３３１を前後に貫通して形成されている。
【００８６】
これらガイド孔３４７，３４８には、図１３（ａ）に示すように、操作ベース４６から前方側に突出する３つのボス３１２ｂ〜３１２ｄが挿通され、ガイド孔３４７，３４８とボス３１２ｂ〜３１２ｄとの当接によって操作ハンドル４７は、初期位置と最大回動位置との間に回動範囲が規制された状態で回動可能とされる。
【００８７】
操作ハンドル４７の前側には、操作ハンドル４７に付勢力を付与する付勢手段としてねじりコイルバネで構成されたハンドル用バネ３０４が設けられている。このハンドル用バネ３０４の一端側は、図１３（ａ）に示すように、操作ハンドル４７のハンドル本体３３１における内側環部３４１に掛けられ、他端側は操作ベース４６の下側から突出する２本のボス３１２ｃ，３１２ｄの間部分にネジにより固定されている。ハンドル用バネ３０４は、ハンドル本体３３１のメッキ部分とタッチセンサ３２１との間の配線の一部としても利用され、２本のボスの間のネジ部分から配線を介して操作ベース４６に内蔵されるタッチセンサ３２１と電気的に接続されている。
【００８８】
ハンドル用バネ３０４は、操作ハンドル４７が操作されていない初期状態（図１３（ａ）参照）において、操作ハンドル４７を反時計回りに回動する方向に付勢力が発生するようにねじられた状態で取り付けられ、操作ハンドル４７には、常時反時計回り方向側への付勢力が付加されている。ハンドル用バネ３０４は、必ずしも、操作ハンドル４７の前側に設けられるねじりコイルバネで構成する必要はなく、操作ハンドル４７を初期状態とする側に付勢可能な他の構成を採用しても良い。
【００８９】
操作ハンドル４７の初期状態においては、図１３（ａ）に示すように、２つのガイド孔３４７，３４８における時計回り方向側の端部に操作ベース４６のボス３１２ｂ，３１２ｃが当接し、ハンドル用バネ３０４の付勢力による操作ハンドル４７の反時計回り方向の回動力がボス３１２ｂ，３１２ｃによって支持されている。この状態に対して、遊技者がハンドル用バネ３０４の付勢力以上の回動力で操作ハンドル４７を時計回り方向に回動させると、操作ハンドル４７が時計回りに回動することとなる。この回動に伴って、２つのガイド孔３４７，３４８の一端と操作ベース４６のボス３１２ｂ，３１２ｃとは、当接していた状態から離間し、ボス３１２ｂ〜３１２ｄに対してガイド孔３４７，３４８が相対的に移動する。
【００９０】
初期状態に対して操作ハンドル４７が時計回りに略４５度回動した位置においては、図１３（ｂ）に示すように、ガイド孔３４７，３４８の円弧方向における途中部分にボス３１２ｂ〜３１２ｄが位置した状態となる。その状態から操作ハンドル４７が更に時計回りに回動し、初期状態に対して操作ハンドル４７が時計回りに略１１０度回動した最大回動状態においては、ガイド孔３４７，３４８において初期状態にボス３１２ｂ，３１２ｃが当接していた側とは反対側の端面にボス３１２ｂ，３１２ｄが当接することとなって、操作ハンドル４７の時計回りの回動が規制されることとなる。
【００９１】
操作ハンドル４７の前側には、図１２に示すように、操作ハンドル４７の前側への移動を制限する前面ユニット３０２が設けられている。前面ユニット３０２は、ＡＢＳ樹脂製で正面視円形平板状の前側ベース板３６１と、その前側に設けられる発光体としての発光ダイオード（ＬＥＤ）が前面側に複数設けられた発光用基板３６２と、その複数のＬＥＤの光を拡散してパチンコ機１０の前面側を装飾するための透過性を有する合成樹脂製の装飾部材３６３と、発光用基板３６２および装飾部材３６３を前側ベース板３６１との間に介在させた状態で前側ベース板３６１とネジ止めされることで前面ユニット３０２を形成する合成樹脂製で中央に貫通孔を有する円盤状の前側カバー３６４とを備えている。
【００９２】
前面ユニット３０２の前側ベース板３６１には、操作ベース４６に設けられる３本のボス３１２ｂ〜３１２ｄに対応する位置にネジ孔３６５が設けられ、これらネジ孔３６５に、３本のボス３１２ｂ〜３１２ｄ内に挿通されるネジの先端部が固定されて、前面ユニット３０２が操作ベース４６に固定される。前側ベース板３６１の背面側には、操作ハンドル４７の回動軸となるハンドル側軸孔部３４３を支持する前側筒状軸３０２ａが設けられる。操作ハンドル４７は、前面ユニット３０２と操作ベース４６との間に挟まれた状態とされ、前面ユニット３０２と操作ベース４６とが一体化された支持体に対して操作ハンドル４７が回動可能に支持される。
【００９３】
次に、操作ハンドル４７の構成詳細について、図１４から図１７を主に参照して説明する。図１４は、前面ユニット３０２を外した状態における発射操作装置４５の正面図であり、図１４（ａ）は図１３（ｂ）の状態に対して調整操作レバー３３４を調整操作した調整操作状態を示し、図１４（ｂ）は図１４（ａ）の状態に対して停止操作レバー３３３を停止操作した停止操作状態を示している。図１５および図１６は、前方および後方から見た操作ハンドル４７の分解斜視図である。図１７は、ハンドルカバー３３２を外した状態における操作ハンドル４７の背面図であり、図１７（ａ）は調整操作レバー３３４および停止操作レバー３３３が操作されていない状態を示し、図１７（ｂ）は２つの操作レバー３３３，３３４が操作された状態を示している。
【００９４】
操作ハンドル４７は、図１５に示すように、ハンドル本体３３１とハンドルカバー３３２との間に、停止操作レバー３３３、調整操作レバー３３４および調整伝達部材３３５とが介在した状態で、ハンドルカバー３３２の裏面側よりネジが挿通されて一体化される部材である。
【００９５】
ハンドル本体３３１の背面側には、図１６に示すように、外側環部３４２の外周に沿って後方側に円筒状に延び、一部が周方向に対して断続するように形成された外周面が設けられている。この外周面の一部によって上記した指掛け部３５１〜３５４が形成されている。背面視右側に突出する一番大きな第１指掛け部３５１と、第１指掛け部３５１に対して背面視反時計回り方向に数えて２つ目に位置する第３指掛け部３５３は、円筒状の部位に対して背面視三角形状に外周側に突出するようにして形成されている。第１指掛け部３５１の背面視反時計回り方向の隣に位置する第２指掛け部３５２と、第２指掛け部３５２から第３指掛け部３５３を挟んだ更に先に位置する第４指掛け部３５４の内周面側には、円筒状の部位が断続した形状とされている。その断続した部位の背面側に対しては、ハンドルカバー３３２の一部が入り込み、ハンドルカバー３３２がハンドル本体３３１の背面側を塞ぐ形状に形成されている。
【００９６】
ハンドルカバー３３２は、ＡＢＳ等の合成樹脂により前後に貫通穴を有する環状で、ハンドル本体３３１の外周面を形成する円筒状の部位に対して内周側に僅かな隙間を隔てて嵌まる大きさに形成されている。ハンドルカバー３３２の正面視上側および右側には、図１５に示すように、前後方向に厚みを有し、外周側に正面視三角形状で突出するカバー部３７１が設けられ、カバー部３７１の一部に前後方向の貫通穴が形成されている。この貫通穴にネジが挿通されて、ハンドル本体３３１にハンドルカバー３３２が固定される。
【００９７】
ハンドルカバー３３２は、環状で前後に延びる円筒状に形成されたカバー環部３７２を有している。カバー環部３７２は、図１６に示すように、操作ベース４６側に相当する後側部分の外径より前側部分の外径が大きくなるように外周面に段差を設けて形成されている。このハンドルカバー３３２の後側部分に対し、ハンドル本体３３１の後側に設けられる円筒状の部位は、同一の中心軸で、外周側に略３ｍｍの隙間を隔てて位置し、操作ハンドル４７として組み付けられた状態では、後側に開放されたコ字状のハンドル側円周溝４７ａが形成される（図１８（ｂ）参照）。
【００９８】
ハンドルカバー３３２の正面視左側部分および上側部分は、図１５に示すように、前後方向における厚みが薄くなるように、前側部分が凹んで形成された２つの凹み部３７３，３７４が設けられている。これら凹み部３７３，３７４には、停止操作レバー３３３、調整操作レバー３３４および調整伝達部材３３５が離間して配置される。
【００９９】
上側の凹み部３７４は、上側のカバー部３７１に対応する位置に設けられ、上側の凹み部３７４の前面には、２つの軸部３７５，３７６が前方に突出するようにして設けられている。詳細には、ハンドルカバー３３２には、上側のカバー部３７１の外周側の突端部において前方に円筒状に突出する外側軸部３７５が設けられ、外側軸部３７５に対して回動中心軸側に相当する中央側に離間し、ハンドルカバー３３２のカバー環部３７２の内面部に相当する位置に内側軸部３７６が設けられている。内側軸部３７６に対しては、調整伝達部材３３５が回動可能に取り付けられ、外側軸部３７５に対しては、調整操作レバー３３４が回動可能に取り付けられる。ハンドル本体３３１の背面側には、外側軸部３７５および内側軸部３７６に対応する位置において後方に円筒状に突出する複数の本体側軸部３４９が外側軸部３７５および内側軸部３７６と同一の外径で設けられ、ハンドル本体３３１とハンドルカバー３３２とに前後が支持された状態で調整操作レバー３３４と調整伝達部材３３５は回動可能に支持される。
【０１００】
ハンドルカバー３３２における正面視左側の凹み部３７３には、停止操作レバー３３３が設けられる。ハンドルカバー３３２に設けられる２つの凹み部３７３，３７４は、操作ハンドル４７の回動軸方向においては同一の位置に形成され、これら凹み部３７３，３７４に配置される２つの操作レバー３３３，３３４は、回動軸方向に沿った同一の位置に配置されることとなる（図１８（ｂ）参照）。
【０１０１】
ハンドル本体３３１の背面側における左側の凹み部３７３に対応する位置には、図１６に示すように、後方に円筒状に突出する停止レバー軸部３５６が設けられている。停止レバー軸部３５６には停止操作レバー３３３に挿通され、停止操作レバー３３３がハンドル本体３３１に回動可能に支持される。各操作レバー３３３，３３４を支持する軸部３４９，３５６の中心には前後に貫通する貫通穴が設けられ、この貫通穴にハンドルカバー３３２の後側からネジが挿通されている。このため、各操作レバー３３３，３３４の周辺が強固に固定され、各操作レバー３３３，３３４が力強く操作されても破損し難くすることができる。
【０１０２】
ハンドル本体３３１におけるハンドルカバー３３２の各凹み部３７３，３７４に対応する外周側部分には、図１６に示すように、各凹み部３７３，３７４の周方向における長さよりも短い長さで側面視で後方に開放するコ字状に形成されたレバー開口３５７，３５８が設けられている。このレバー開口３５７，３５８の後側端部には、ハンドルカバー３３２が配置され、各操作レバー３３３，３３４は、レバー開口３５７，３５８とハンドルカバー３３２とによって操作ハンドル４７の径方向において内外に貫通する開口を通じて、操作ハンドル４７の外側部分に各操作レバー３３３，３３４の一部が位置するように配置される。これらレバー開口３５７，３５８は、図１１（ａ）に示すように、各操作レバー３３３，３３４の外形に対して、ほとんど隙間が無く、０．５ｍｍ未満の僅かな隙間を隔てて設けられる。この隙間を少なく設定し、また、各操作レバー３３３，３３４の各軸部３４９をネジ止めすることでこじ開けに対する各操作レバー３３３，３３４の変形を防止して、ハンドル本体３３１とハンドルカバー３３２との隙間を狙った不正に強い操作ハンドル４７とすることができる。
【０１０３】
停止操作レバー３３３は、図１３（ａ）に示すように、初期状態において操作ハンドル４７の左下側に一部が露出するように突出して設けられている。この停止操作レバー３３３は、図１３（ｂ）に示すように、操作ハンドル４７が回動操作された状態において操作ハンドル４７と共に回動する。停止操作レバー３３３が押し込み操作されると、図１４（ｂ）に示すように、突出部分が操作ハンドル４７の中心側に入り込んだ状態となり、この押し込み操作によって遊技球の発射を停止させる停止操作が実施されて、発射停止の状態とされる。
【０１０４】
停止操作レバー３３３は、ポリアセタール等の合成樹脂により形成された部材であり、図１５および図１６に示すように、ハンドル本体３３１に対して正面視で外側に突出して遊技者に操作される停止操作部３８１と、停止操作部３８１より上方に延びる形状の停止レバー基部３８２と、停止レバー基部３８２の上端部に設けられる停止レバー軸穴３８３と、停止レバー基部３８２の下端部であって停止操作部３８１とは逆側となるハンドル本体３３１の中央側に設けられるスイッチ動作部３８４とを有している。
【０１０５】
停止操作部３８１は、初期状態における操作ハンドル４７の左下側に設けられ、ハンドル本体３３１のレバー開口３５７を介してハンドル本体３３１の外側に突出するようにして設けられる。停止操作部３８１は、図１１（ａ）および図１１（ｂ）に示すように、ハンドル本体３３１のレバー開口３５７の間部分に位置する停止レバー基部３８２より周方向および後側に拡張された外面を有している。停止操作部３８１における操作ベース４６側の一部分は、操作ベース４６の外周側に重なるようにして設けられている。このため、ハンドル本体３３１のレバー開口３５７と停止操作レバー３３３との隙間部分の外周側が停止操作部３８１によって覆われ、その隙間から不正を目的として工具等を差し込むことが防止されている。
【０１０６】
停止レバー軸穴３８３は、図１６に示すように、停止レバー基部３８２の上端部に設けられ、ハンドル本体３３１の裏面側から後方側へ突出する停止レバー軸部３５６が内側に挿通される。この停止レバー軸穴３８３の前後における縁部分は、図１５に示すように、他の部位よりも僅かに円筒状に突出し、また、停止レバー基部３８２の下側先端部も円弧状に僅かに突出することで、停止操作レバー３３３の回動がし易くされている。
【０１０７】
停止レバー基部３８２における停止レバー軸穴３８３の上側には、上端および背面側において細長い溝状に形成されたスリット３８５が設けられている。このスリット３８５には、図１７に示すように、鋼線で形成した付勢部材３０５の一端部が入り込み、その他端側がハンドル本体３３１のバネ受け部に保持されて、停止操作レバー３３３は、操作ハンドル４７の外周側に突出する側に付勢される。操作ハンドル４７単体としても停止操作レバー３３３が外周側に突出することで、部品の組み付け上の隙間によるがたつきを少なくして、停止操作レバー３３３の押し込み操作の感触として高級感のあるものとすることができる。なお、停止操作レバー３３３は、操作ハンドル４７として上記以外の方法により外周側に突出するようにしても良く、または、操作ハンドル４７単体としては外周側に突出する方向側に付勢せず、後述する発射止めスイッチ３０６の付勢力等、操作ハンドル４７以外に設けられる部材の付勢力によって外周側に突出する構成としても良い。
【０１０８】
スイッチ動作部３８４は、停止操作による操作力を発射止めスイッチ３０６側に伝達する部位であり、図１６に示すように、後側に延びる断面円形の棒状に形成され、その先端部が球状に形成されている。このスイッチ動作部３８４の後側には、図１２に示すように、前後に揺動可能に設けられる停止操作伝達部材４０１が配置され、その更に後側には、発射止めスイッチ３０６が設けられる。
【０１０９】
ここで、図１８から図２０を主に参照して、停止操作レバー３３３に対する停止操作の検出機構について説明する。図１８は、操作ハンドル４７が初期状態に対して時計回りに４５度回動した左打ち操作状態において停止操作レバー３３３が操作されていない発射許可状態を示し、図１８（ａ）は発射許可状態における発射操作装置４５の正面図であり、図１８（ｂ）は図１８（ａ）のＸ−Ｘ線における断面図である。図１９は、図１８に対して停止操作レバー３３３が押し込み操作された停止操作状態を示し、図１９（ａ）は停止操作状態における発射操作装置４５の正面図であり、図１９（ｂ）は図１９（ａ）のＹ−Ｙ線における断面図である。図２０（ａ）は、左打ち操作状態における発射操作装置４５の内部構造を示す正面図であり、前面ユニット３０２および操作ハンドル４７を外した状態を示している。図２０（ｂ）は、発射操作装置４５の初期状態における内部構造を示す正面図であり、図２０（ａ）に対して停止操作伝達部材４０１および内部カバー部材４０２を外した状態を示している。また、図２０（ｂ）においては、理解の容易のために、停止操作レバー３３３、調整操作レバー３３４および調整伝達部材３３５を二点鎖線で示している。
【０１１０】
停止操作伝達部材４０１は、図１２に示すように、合成樹脂により前後に厚みを有する板状の停止伝達基部４１１と、停止伝達基部４１１の右側端部において上下に円柱状に突出する支持軸部４１２と、停止伝達基部４１１を基準として支持軸部４１２とは逆側となる左側部分に設けられて停止操作レバー３３３のスイッチ動作部３８４が前面側に当接する操作受け部４１３とを有している。停止伝達基部４１１には、左側より右側が小さく前後方向に貫通する２つの穴部が設けられ、左側の大きな穴部は、図２０に示すように、操作ベース４６と同心円状に開口形成され、操作ハンドル４７の回動中心部を前後に連通させて操作ハンドル４７の回動操作を操作ベース４６側に伝達する領域を形成している。右側の小さな穴部には、図２０（ｂ）に示すように、操作ハンドル４７の回動操作を検出する連動ギヤ３０９の一部が配置されている。
【０１１１】
停止操作伝達部材４０１の支持軸部４１２は、図２０（ｂ）に示すように、操作ベース４６の大径部３１２における外周右側部分の内側に設けられる軸受け部３１２ｅに支持される。軸受け部３１２ｅは、上下に離間した板面の前側縁部分が後側にコ字状に切り欠いた形状とされ、停止操作伝達部材４０１の支持軸部４１２，４１２が軸受け部３１２ｅに支持される。
【０１１２】
停止操作伝達部材４０１の前側には、図１２に示すように、正面視右側が円弧状で左側部分が直線状に形成された前後に厚みを有する板状の内部カバー部材４０２が設けられている。内部カバー部材４０２は、停止操作伝達部材４０１の前側に位置し、その上下部分がネジにより操作ベース４６に固定されている。内部カバー部材４０２は、操作ベース４６の軸受け部３１２ｅの前側開口を塞ぐ位置に設けられ、この軸受け部３１２ｅに支持された状態の停止操作伝達部材４０１の前側への移動を阻止している。内部カバー部材４０２の右側部分は、図２０（ａ）に示すように、操作ベース４６の大径部３１２の内周面に対して、一定の隙間を隔てた円弧状に形成されている。内部カバー部材４０２と操作ベース４６の大径部３１２の内周面との隙間部分には、図１９（ｂ）に示すように、ハンドルカバー３３２の後側部分が入り込み、内部カバー部材４０２の外周縁は、ハンドルカバー３３２のカバー環部３７２に対してほとんど隙間がない形状とされている。すなわち、内部カバー部材４０２は、操作ベース４６内の右側部分における前後空間を遮断した形状とされている。
【０１１３】
停止操作伝達部材４０１の操作受け部４１３は、図２０（ａ）に示すように、操作ベース４６の大径部３１２における前側外周部３１２ａの内周面に沿って外縁部分が円弧状に形成された正面視扇状に形成されている。操作受け部４１３は、図１８（ｂ）に示すように、前側から後側へいくに従って次第に外形が拡がるように傾斜した操作受け面４１３ａと、操作受け面４１３ａの外周端側より外方へ延出する外縁部４１３ｂとを有する断面形状に形成されている。これら操作受け面４１３ａおよび外縁部４１３ｂは、操作ハンドル４７の回動中心軸を中心として回転させた円錐面の一部分の形状とされるように周方向に連続した形状に形成されている。
【０１１４】
停止操作伝達部材４０１における操作受け部４１３の外縁部４１３ｂは、操作ベース４６の大径部３１２の内周面に対して、ほとんど隙間が無い大きさに設定されている。また、外縁部４１３ｂは、図１８（ｂ）に示すように、操作ベース４６の大径部３１２の外周面が断面円弧状で後側にいくほど次第に内径が減少する部分の円弧の先端部分に相当する前後位置となるように配置されている。停止操作伝達部材４０１は、その回動中心となる支持軸部４１２と外縁部４１３ｂとの前後位置が同一となるように配置され、図１９（ｂ）に示すように、停止操作伝達部材４０１が後側に揺動した場合でも外縁部４１３ｂと操作ベース４６の内周面との隙間が生じない設定とされている。操作受け部４１３の外縁形状は、図２０（ａ）に示すように、操作ベース４６にて前方に突出する形状のボス３１２ｂ，３１２ｃにほとんど隙間が無い位置まで延出した大きさに設定され、操作受け部４１３が操作ベース４６内の左側部分における前後空間を遮断している。
【０１１５】
停止操作レバー３３３のスイッチ動作部３８４は、図１８（ｂ）に示すように、押し込み操作がされていない発射許可状態において、停止操作伝達部材４０１の操作受け面４１３ａにおける前側外周部３１２ａの内面に近い外側部分に当接するようにして設けられている。操作ハンドル４７の回動動作に伴って停止操作レバー３３３のスイッチ動作部３８４は、周方向へ移動することとなるものの、周方向に一定の断面形状で連続した操作受け面４１３ａによってスイッチ動作部３８４と操作受け面４１３ａとの位置関係は、一定の相対位置関係に保持される。
【０１１６】
停止操作伝達部材４０１の操作受け部４１３の後側には、図１２に示すように、発射止めスイッチ３０６が設けられている。発射止めスイッチ３０６は、前面側に前後に動作可能に設けられた可動片３０６ａを有する機械式のスイッチによって構成され、この可動片３０６ａは内蔵されるバネにより常に前側に付勢された状態とされている。発射止めスイッチ３０６の可動片３０６ａの前側には、図１８（ｂ）に示すように、停止操作伝達部材４０１の操作受け部４１３の後側部分が当接可能に配置されている。停止操作伝達部材４０１は、発射止めスイッチ３０６に内蔵されるバネにより前側に押し出される程度に軽量かつ円滑に揺動自在に支持されている。逆にいうと、発射止めスイッチ３０６に内蔵されるバネは、停止操作伝達部材４０１を前側に位置させるのに十分な付勢力に設定されている。
【０１１７】
発射止めスイッチ３０６は、図示しない配線を介して、遊技球の発射を制御をする制御装置に電気的に接続される。発射止めスイッチ３０６の内蔵バネの付勢力に抗して可動片３０６ａが後側に押し下げられると、発射止めスイッチ３０６が可動片３０６ａの移動を検出し、停止操作の検出に対応した信号が発射止めスイッチ３０６から出力される。この出力信号を制御装置が検出することで、制御装置は停止操作がされた場合に発射を停止した制御状態とする。
【０１１８】
停止操作レバー３３３が押し込み操作されていない発射許可状態においては、図１８（ａ）に示すように、停止操作部３８１は外周側に突出した状態とされている。停止操作レバー３３３のスイッチ動作部３８４は、図１８（ｂ）に示すように、停止操作伝達部材４０１の操作受け面４１３ａにおける外周側の部位に当接し、発射止めスイッチ３０６の可動片３０６ａは前側に突出した状態とされている。
【０１１９】
停止操作レバー３３３が押し込み操作されると、図１９（ａ）に示すように、停止操作部３８１の突出量が減少するようにハンドル本体３３１の外周面に近づく側へ停止操作部３８１が移動する。停止操作部３８１の移動に伴って、図１９（ｂ）に示すように、停止操作レバー３３３のスイッチ動作部３８４も操作ハンドル４７の中央側へ移動する。スイッチ動作部３８４が移動すると、停止操作伝達部材４０１の操作受け面４１３ａは後側へ押圧され、停止操作伝達部材４０１の支持軸部４１２を中心として操作受け部４１３側が後側へ揺動する。この揺動動作によって操作受け部４１３が後側へ移動し、発射止めスイッチ３０６の可動片３０６ａが押し込まれて、発射を停止する停止操作状態となる。
【０１２０】
停止操作伝達部材４０１の操作受け部４１３の下側部分には、図２０（ａ）に示すように、外縁部４１３ｂより前方側に突出する板状の突出片４１３ｃが設けられている。この突出片４１３ｃは、操作ハンドル４７が回動操作されていない初期状態において、停止操作伝達部材４０１が後側へ揺動された状態とするために設けられている。突出片４１３ｃは、正面視左上側の端縁が外縁部４１３ｂの前面に一致し、その位置から次第に前側に突出するように傾斜した部位と、その部位の右下側に連続して前後位置が変化しない部位とにより構成され、操作ハンドル４７の中心に対して略２０度程度の中心角となる長さに設定されている。
【０１２１】
操作ハンドル４７のハンドルカバー３３２の後側部分であって停止操作レバー３３３の凹み部３７３の下側部分に相当する位置には、図１６に示すように、後方に円柱状に突出し、先端部が球状とされた後側突部３７７が設けられている。後側突部３７７は、操作ハンドル４７の初期状態において停止操作伝達部材４０１の突出片４１３ｃにおける右下側の前後位置が変化しない部分に当接する位置に設けられている。また、後側突部３７７の後側に突出する突出量は、操作ハンドル４７の初期状態において突出片４１３ｃに当接することで停止操作伝達部材４０１を、図１９（ｂ）に示すように、発射止めスイッチ３０６の可動片３０６ａを押し込んだ状態とする突出量とされている。
【０１２２】
操作ハンドル４７の初期状態においては、操作ハンドル４７におけるハンドルカバー３３２の後側突部３７７によって発射止めスイッチ３０６の可動片３０６ａが後側に押し込まれた状態とされ、操作ハンドル４７が回動操作されると、可動片３０６ａから後側突部３７７が離間して、停止操作伝達部材４０１が前側に揺動し、発射止めスイッチ３０６の可動片３０６ａが前側に突出した発射許可状態とされる。突出片４１３ｃの傾斜部分は、操作ハンドル４７が初期状態に復帰する際に、停止操作伝達部材４０１の突出片４１３ｃを少しずつ後方側へ移動し、初期状態に復帰した状態において停止操作伝達部材４０１を十分に後側へ揺動した状態とするために設けられる部位である。なお、発射止めスイッチ３０６の可動片の移動量が小さく設定されている場合等、突出片４１３ｃに必ずしも傾斜部分を設ける必要はなく、また停止操作伝達部材４０１に前側に突出する棒状の突部を設けてハンドルカバー３３２の後側に傾斜部分を有する突出片を設けても良い。
【０１２３】
次に、操作ハンドル４７の調整操作レバー３３４による調整操作について説明する。調整操作レバー３３４は、操作ハンドル４７を一定量操作した状態において発射操作力を調整可能とする部材である。遊技領域２３ａの左側領域ＰＥ１を遊技球が流下する左打ち操作状態において調整操作レバー３３４に対して調整操作をした場合、操作ハンドル４７を回動させなくても右側領域ＰＥ２を遊技球が流下する発射力に発射力が増大される。この発射力を増大させる構成詳細について、以下に説明する。
【０１２４】
操作ハンドル４７のハンドル本体３３１には、図１３（ａ）に示すように、初期状態において上方側に突出する第２指掛け部３５２が設けられ、この第２指掛け部３５２において操作面とは反対側となる右側部分に調整操作レバー３３４の調整操作部４３１が配置されている。調整操作部４３１の外形は、正面視において、第２指掛け部３５２の頂部より低い高さで僅かに中央側に位置し、第２指掛け部３５２の頂部から離間した側の端部にて外側に突出した頂部を形成し、中央側に凹んだ外形形状に形成されている。初期状態においては、上記したように、発射止めスイッチ３０６の可動片３０６ａが押し込まれた状態とされ、この状態においては、調整操作レバー３３４に対して調整操作しても遊技球が発射されることはない。
【０１２５】
初期状態に対して操作ハンドル４７を時計回りに回動操作すると、発射止めスイッチ３０６の押し込み状態が解除されて発射許可状態となる。初期状態に対して操作ハンドル４７を略４５度回動させた左打ち操作状態においては、図１３（ｂ）に示すように、停止操作部３８１の外周面は左側を向き、調整操作部４３１の外面であって、正面視で凹んだ面は右側を向くように配置される。
【０１２６】
左打ち操作状態に対して調整操作部４３１を操作ハンドル４７の中央側に押し込む方向に操作すると、図１４（ａ）に示すように、調整操作部４３１の外形は、ハンドル本体３３１の外形に近づくように押し込まれる。この調整操作部４３１は、第２指掛け部３５２の頂部に対して時計回り方向側の面の傾斜がきつくなるように次第に移動し、最大に押し込まれた最大調整状態においては操作ハンドル４７の半径方向に対して略６０度程度の傾きを有する位置まで押し込まれる。調整操作部４３１が押し込まれるほど発射力が次第に増大され、最大調整状態においては、ほぼ全ての遊技球が右側領域ＰＥ２を流下する右打ち操作状態となる。
【０１２７】
この発射力の増減は、図１２に示すように、操作ベース４６の内部に設けられる可変抵抗器３０７の回動軸３０７ａの回動量に対応している。可変抵抗器３０７は、発射を制御する制御装置に接続され、可変抵抗器３０７の回動軸３０７ａの回動量に応じた発射力で遊技球が発射される。上記したように本実施形態における操作ハンドル４７の基準回動量は７０度とされ、初期状態に対して基準回動量分、操作ハンドル４７が回動操作された場合に、左側領域ＰＥ１と右側領域ＰＥ２とにほぼ均等に遊技球が流下するように、ソレノイド１１１のプランジャ１１４の移動速度が制御される。そして、基準回動量より少なく操作ハンドル４７が回動操作された場合には、その少ない量に応じた分、ソレノイド１１１のプランジャ１１４の移動速度が遅くなり、基準回動量より大きく操作ハンドル４７が回動操作された場合には、その増量に応じた分、ソレノイド１１１のプランジャ１１４の移動速度が速くなる。なお、基準回動量の設定は、調整操作部４３１が操作されていない状態における設定であり、調整操作部４３１が調整操作された場合には、基準回動量より少ない操作ハンドル４７の回動操作量であっても、右側領域ＰＥ２を遊技球が流下する。
【０１２８】
調整操作レバー３３４は、図１５に示すように、ポリアセタール等の合成樹脂により成形された部材であり、前後に厚みを有する前面部４３２に対して上側および右側端縁部分が後側に延びるようにして調整操作部４３１が形成されている。前面部４３２の左上側端部には、前後方向に貫通する支持孔が設けられている。この支持孔は、図１７（ａ）に示すように、第２指掛け部３５２の突端部分に設けられる本体側軸部３４９およびハンドルカバー３３２の外側軸部３７５（図１５参照）の外径より僅かに大きな内径に設定され、それら軸部３４９，３７５が支持孔に挿通されることで調整操作レバー３３４がハンドル本体３３１およびハンドルカバー３３２に回動可能に支持されている。
【０１２９】
調整操作レバー３３４は、通常状態に対して最大調整状態となるまで略２０度の回動動作範囲に設定されている。調整操作レバー３３４は、最大調整状態において、図１７（ｂ）に示すように、その外形に対して背面視反時計回り方向側にハンドル本体３３１の一部が当接する形状とされている。詳細には、ハンドル本体３３１の第２指掛け部３５２の操作面を外面として形成する壁の内面側には、調整操作レバー３３４側に突出するストッパ突部３５２ａが設けられている。調整操作レバー３３４の前面部４３２の外形は、調整操作レバー３３４の支持孔に対して操作ハンドル４７の中央側に延びる形状に形成され、最大調整状態において、その外形に対して背面視反時計回り方向側にストッパ突部３５２ａが当接する設定とされている。これにより、最大調整状態を超えた調整操作レバー３３４の回動が阻止される。
【０１３０】
調整操作部４３１は、図１７（ａ）に示すように、押し込み操作をしていない通常状態において外側軸部３４９が挿通される支持孔に対して操作ハンドル４７の周方向に延びるようにして形成され、支持孔に対して操作ハンドル４７の中央側に離間した位置には、前面部４３２の裏面より後方に突出する円柱状の係合突部４３３が設けられている。係合突部４３３は、調整伝達部材３３５において前後に貫通する係合穴部４４１に入り込み、調整操作レバー３３４が回動すると調整伝達部材３３５が連動する。
【０１３１】
調整伝達部材３３５は、図１５に示すように、前後に厚みを有する板状に形成され、その中央部分に前後に貫通する支持孔が設けられている。この支持孔は、ハンドルカバー３３２の内側軸部３７６およびその前側に位置する本体側軸部３４９の外径より僅かに大きな内径に設定され、それら軸部３４９，３７６が支持孔に挿通されることで調整伝達部材３３５がハンドル本体３３１およびハンドルカバー３３２に回動可能に支持されている。
【０１３２】
調整伝達部材３３５の支持孔に対する一方側であって調整操作レバー３３４が設けられる操作ハンドル４７の外周側には、図１６に示すように、前後に貫通する係合穴部４４１が設けられている。係合穴部４４１は、調整操作レバー３３４の回動中心と、調整伝達部材３３５の回動中心とに対して、ほぼ中間に位置し、調整操作レバー３３４の回動量と調整伝達部材３３５の回動量が略同一となる設定とされている。調整操作レバー３３４の動作範囲は、上記したように略２０度に設定されており、調整操作レバー３３４の動作範囲も同等の略２０度に設定される。
【０１３３】
調整伝達部材３３５における支持孔を基準として係合穴部４４１とは逆側となる操作ハンドル４７の中央側には、図１６に示すように、後側に段差が設けられるようにオフセットした段差部４４２が設けられている。調整伝達部材３３５は、段差部４４２の後側位置に対して、支持孔を中心として略２０度の中心角で支持孔とは反対側に扇状に広がる形状に形成され、その先端側端部に複数の歯部４４３が支持孔を中心とする外周側に突出するようにして円弧状に並んで形成されている。この複数の歯部４４３は、調整操作レバー３３４の動作範囲と同等の広がりをもつ設定とされ、図１７（ａ）に示すように、通常状態においては複数の歯部４４３のうち背面視時計回り方向側端部の歯部４４３が操作ハンドル４７の中心側に向かい、最大調整状態においては背面視反時計回り方向側端部の歯部４４３が操作ハンドル４７の中心側に向かう位置に配置されている。
【０１３４】
調整伝達部材３３５とハンドル本体３３１との間には、図示しないねじりコイルバネが設けられ、調整伝達部材３３５は、常に背面視反時計回り方向側、すなわち図１７（ａ）に示す通常状態に相当する側に付勢されている。ハンドル本体３３１の内側環部３４１の背面側には、通常状態において調整伝達部材３３５の段差部４４２に対して反時計回り方向側に当接する位置に、ストッパ壁部３４１ａが設けられている。ストッパ壁部３４１ａは、図１６に示すように、ハンドル本体３３１の内側環部３４１の背面側から後方に突出するようにして設けられ、付勢力によって回動しようとする調整伝達部材３３５の段差部４４２を支持して、調整伝達部材３３５を通常状態に相当する位置に停止させる。
【０１３５】
調整伝達部材３３５が通常状態に相当する位置に停止した状態において、図１７（ａ）に示すように、調整伝達部材３３５の係合穴部４４１に入り込んだ係合突部４３３を有する調整操作レバー３３４が通常状態に相当する位置に配置される。通常状態に対して調整操作レバー３３４の調整操作部４３１が押し込み操作されると、調整操作レバー３３４は、背面視反時計回り方向に回動し、その回動に連動して、調整伝達部材３３５が背面視時計回り方向に回動する。最大調整状態まで調整操作レバー３３４が回動すると、図１７（ｂ）に示すように、調整操作レバー３３４がハンドル本体３３１の一部に当接してそれ以上の回動が阻止され、調整伝達部材３３５も最大調整状態に対応する位置に停止する。
【０１３６】
次に、図１２および図１８に加えて図２１から図２３を参照して、操作ハンドル４７および調整操作レバー３３４の操作量を検出する可変抵抗器３０７を含めた検出機構の構成について説明する。図２１（ａ）は、図２０（ｂ）に対して操作ハンドル４７が略４５度回動操作された左打ち操作状態における発射操作装置４５の内部構造を示す正面図であり、図２１（ｂ）は、左打ち操作状態において調整操作レバー３３４に対して最大調整操作をした場合における発射操作装置４５の内部構造を示す正面図である。図２２（ａ）は、操作ハンドル４７の最大回動状態における発射操作装置４５の内部構造を示す正面図であり、図２２（ｂ）は、最大回動状態において最大調整操作をした場合における発射操作装置４５の内部構造を示す正面図である。図２３は、中央ギヤユニット３０８及び連動ギヤの分解斜視図である。なお、図２１および図２２においては、停止操作レバー３３３、調整操作レバー３３４および調整伝達部材３３５を二点鎖線で示し、図２３においては、前側ギヤ４５４および後側ギヤ４５５を別方向視した図を併せて示している。
【０１３７】
発射操作装置４５は、図１２に示すように、前後に重なる複数の部材で構成される中央ギヤユニット３０８と、中央ギヤユニット３０８に対して右側に設けられる連動ギヤ３０９と、連動ギヤ３０９が取り付けられる可変抵抗器３０７とを備えている。中央ギヤユニット３０８は、図２０（ｂ）に示すように、操作ベース４６の中央部に設けられ、中央ギヤユニット３０８に設けられる後側ギヤ４５５の歯部４７２が連動ギヤ３０９に対して噛み合うように左右に並んで設けられる。中央ギヤユニット３０８は、操作ハンドル４７の調整伝達部材３３５の歯部４４３が噛み合う位置に配置され、操作ハンドル４７の回動に伴い、中央ギヤユニット３０８が回動し、その回動に連動ギヤ３０９が連動して可変抵抗器３０７に回動操作が伝達される。
【０１３８】
中央ギヤユニット３０８は、図２３に示すように、前後に設けられる軸受け部材４５１，４５２と、両軸受け部材４５１，４５２の間に支持される金属製の支持軸４５３と、支持軸４５３に回動可能に支持される前側ギヤ４５４および後側ギヤ４５５と、これらギヤ４５４，４５５の間に設けられるギヤ付勢バネ４５６とを備えている。
【０１３９】
前後２つの軸受け部材４５１，４５２は、図２３に示すように、それぞれが合成樹脂により中央部分において支持軸４５３側が凹んだ断面コ字状の軸受け部４５１ａ，４５２ａを有している。軸受け部４５１ａ，４５２ａは、支持軸４５３側が支持軸４５３の外径に対して僅かに隙間が設けられる内径で開口し、反対側が閉じられた円筒状に形成されている。前側の軸受け部材４５１における開口端側の外周には、前後方向に厚みを有して周方向に環状に突出する鍔部４５１ｂが設けられ、後側の軸受け部材４５２の開口端側にも、周方向に環状に突出する鍔部４５２ｂが設けられている。
【０１４０】
前側の軸受け部材４５１は、図１８（ｂ）に示すように、軸受け部４５１ａにおける支持軸４５３が位置する側とは逆側となる外面がハンドル本体３３１の中央部分のハンドル側軸孔部３４３にほぼ隙間のない状態で嵌め合わされ、鍔部４５１ｂによりハンドル側軸孔部３４３内への入り込みが阻止されている。後側の軸受け部材４５２は、操作ベース４６の大径部３１２の中央部分にて後側の軸受け部材４５２の外形に沿って形成された軸受け孔部３１２ｆに嵌め合わされ、鍔部４５２ｂにより軸方向における位置が規定されている。２つの軸受け部材４５１，４５２の間には支持軸４５３が配置され、２つの軸受け部材４５１，４５２を介して操作ハンドル４７と操作ベース４６によって支持軸４５３の両端側が支持されている。
【０１４１】
前側ギヤ４５４は、図２３に示すように、合成樹脂により前後方向に延びる軸穴４６１を中心とした円弧状の外周面に複数の歯部４６２が形成された部材である。前側ギヤ４５４は、前後に延びる軸穴４６１を中心として、前後に厚みを有する円板状に形成された前側基部４６３と、前側基部４６３に対して前側に円筒状に突出する前側筒部４６４とを有している。前側ギヤ４５４の軸穴４６１には支持軸４５３が挿通され、支持軸４５３を中心として前側ギヤ４５４は回動自在に設けられている。
【０１４２】
前側ギヤ４５４における前側筒部４６４の外周部には、中心角が略１００度の扇状の範囲で径方向に突出する形状の複数の歯部４６２が軸穴４６１と同方向に延びるようにして設けられている。前側ギヤ４５４の複数の歯部４６２は、調整伝達部材３３５に設けられる複数の歯部４４３に噛み合わされる部位であり、調整伝達部材３３５の歯部４４３の数と略同一数（詳細には１つ少ない数）に設定されている。これら歯部４４３，４６２の噛み合う位置は、図２０（ｂ）に示すように、調整伝達部材３３５の回動中心と、前側ギヤ４５４の回動中心との間において前側ギヤ４５４の回動中心寄りに設定され、調整伝達部材３３５の回動量を増幅して前側ギヤ４５４が回動する設定とされている。詳細には、調整伝達部材３３５の略２０度の動作範囲に対し、前側ギヤ４５４は、略５倍の略１００度の回動量に増幅された動作範囲に設定されている。
【０１４３】
前側基部４６３の外形は、ギヤ付勢バネ４５６の外形より僅かに大きな略円形状に設定されている。前側基部４６３の外周部分には、図２３の右下側にて前側ギヤ４５４を別方向視して示すように、後方側に突出し、更に正面視で時計回り方向側に突出する鉤形に形成されたバネ受け部４６５が設けられている。バネ受け部４６５は、ギヤ付勢バネ４５６の一端側が掛けられることでギヤ付勢バネ４５６の付勢力を受ける部位であり、前側ギヤ４５４は後側ギヤ４５５に対して常に反時計回り方向側へ回動する付勢力が付加された状態とされる。
【０１４４】
前側ギヤ４５４のバネ受け部４６５に対して正面視時計回り方向側に隙間を隔てた位置には、図２３に示すように、前側基部４６３の外形に沿って後方側に僅かに突出した前側壁部４６６が設けられている。前側壁部４６６は、周方向に沿った突条に形成され、前側基部４６３の外形の略半周にわたって設けられている。前側壁部４６６の内周面は、ギヤ付勢バネ４５６においてコイル状に巻き回した部位の外形より大きく形成され、ギヤ付勢バネ４５６が付勢力によって外側へ変形して付勢力が低下することを防止している。
【０１４５】
後側ギヤ４５５は、図２３に示すように、合成樹脂により前後方向に延びる軸穴４７１を中心とした円弧状の外周面に複数の歯部４７２が形成された部材である。後側ギヤ４５５の後側部分には、その前側部分に対して、全周の一部のみが扇状に拡径した後側基部４７３が設けられ、複数の歯部４７２は、後側基部４７３の周面に沿って起伏し、前後に延びた形状に形成されている。後側基部４７３に対して前方側には、軸穴４７１を中心として径寸法が異なる２つの円筒部４７４，４７５が前方に突出するようにして設けられている。内外の円筒部４７４，４７５は、両円筒部４７４，４７５の間部分にギヤ付勢バネ４５６が入り込み可能な隙間を隔てて、また、前側ギヤ４５４が前側に重ねられた状態においてギヤ付勢バネ４５６が入り込み可能な突出量に設定されている。内側の円筒部４７４と後側基部４７３とを貫通するようにして、支持軸４５３が挿通される軸穴４７１は設けられ、支持軸４５３を回動中心として後側ギヤ４５５は回動可能とされている。
【０１４６】
後側ギヤ４５５における２つの円筒部４７４，４７５の間部分における奥側面には、図２３の左上側にて後側ギヤ４５５を正面視して示すように、前後に貫通する円孔で形成されたバネ受け孔４７６が設けられている。ギヤ付勢バネ４５６は、鋼線を巻き回して形成され、その後側端部は後方側に線状に延びる形状に形成されている。そのギヤ付勢バネ４５６の後側における線状部が後側ギヤ４５５のバネ受け孔４７６に差し込まれ、バネ受け孔４７６を通じてギヤ付勢バネ４５６の回動力が後側ギヤ４５５に伝達される。
【０１４７】
後側ギヤ４５５における外側の円筒部４７５の前側端部には、図２３に示すように、前方側に一部が突出した突出部４７７が設けられている。この突出部４７７は、前側ギヤ４５４のバネ受け部４６５を形成する部位に当接することで係合して、ギヤ付勢バネ４５６による前側ギヤ４５４と後側ギヤとの回動方向における相対移動を制限する。
【０１４８】
前側ギヤ４５４および後側ギヤ４５５は、図１８（ａ）に示すように、支持軸４５３に支持された状態で、前後２つの軸受け部材４５１，４５２の間に前後に重ねられて配置され、その前後方向には僅かに隙間が設けられる設定とされている。前側ギヤ４５４のバネ受け部４６５における正面視反時計回り方向側を向く面と、後側ギヤ４５５の突出部４７７における正面視時計回り方向側を向く面とは、ギヤ付勢バネ４５６の付勢力によって当接した状態とされ、この当接状態が前側ギヤ４５４と後側ギヤ４５５との基本状態とされている（図２２（ａ）に示す状態）。ギヤ付勢バネ４５６としては、単独の自由状態に対して前側部分が正面視時計回り方向側にねじられた状態が基本状態となるように、コイルの巻き量が設定されている。
【０１４９】
後側ギヤ４５５が固定された状態において、前側ギヤ４５４は、ギヤ付勢バネ４５６の付勢力による回動力より大きな回動力が加えられると基本状態より正面視時計回り方向側に回動した状態とされ（図２２（ｂ）に示す状態）、その回動力が低下するとギヤ付勢バネ４５６の付勢力により基本状態（図２２（ａ）に示す状態）に復帰する。
【０１５０】
後側ギヤ４５５の後側部分には、図２３に示すように、軸穴４７１に対して外径方向側に突出する板状の回動規制部４７８が設けられている。操作ベース４６の大径部３１２には、図２２（ａ）に示すように、回動規制部４７８が突出する先端側部分を半径とし、後側ギヤ４５５の回動中心を中心とする正面視円弧状の規制受け部３１２ｇが設けられている。操作ベース４６の規制受け部３１２ｇと後側ギヤ４５５の回動規制部４７８とは、前後方向において同一の位置に設けられ、操作ベース４６の規制受け部３１２ｇが設けられていない円弧の両端の間に相当する範囲内において後側ギヤ４５５は回動可能とされている。規制受け部３１２ｇを形成する円弧の中心角は略２５０度に設定され、この規制受け部３１２ｇの円弧の両端間部分に相当する１１０度の動作範囲で後側ギヤ４５５は回動可能とされている。
【０１５１】
連動ギヤ３０９は、図２３に示すように、前後に貫通する軸穴４８１を中心とする円柱状に形成された合成樹脂製の部材である。可変抵抗器３０７には、図１２に示すように、前方に突出する柱状の回動軸３０７ａが設けられ、回動軸３０７ａは、円弧の両端を直線で結んだ断面形状とされている。連動ギヤ３０９の軸穴４８１は、回動軸３０７ａの外形より僅かに大きく、同一形状をした内面部分を有する形状に形成され、可変抵抗器３０７の回動軸３０７ａに連動ギヤ３０９の軸穴４８１が嵌め合わされることで可変抵抗器３０７の回動軸３０７ａと連動ギヤ３０９とが一体的に回動する。
【０１５２】
連動ギヤ３０９の外周面は、図２３に示すように、軸穴４８１を中心とする円筒状に形成され、その後側端部には、外方側に突出する複数の歯部４８２が全周にわたって前後に延びる形状に形成されている。連動ギヤ３０９は、図２０（ｂ）に示すように、一部の歯部４８２が後側ギヤ４５５の歯部４７２に噛み合わされる位置に配置されている。
【０１５３】
連動ギヤ３０９において隣り合う歯部４７２の間に形成される複数の溝は、図２３に示すように、その大部分の後側端部が前後に厚みを有する板状の閉塞部４８３で塞がれた形状とされ、一部（本実施形態においては２つ）の歯部４８２間の溝のみが後側に長く形成されている。閉塞部４８３は、連動ギヤ３０９と後側ギヤ４５５との相対位置を規定位置にのみ組み付け可能とし、誤った組み付けを防止するために設けられている。後側ギヤ４５５の歯部４７２のうち一部（本実施形態においては２つ）の歯部４７２は、他に比べて後側に長く延びた形状とされ、その後側に長い歯部４７２が閉塞部４８３の無い溝に入る場合にのみ、後側ギヤ４５５と連動ギヤ３０９との回動中心軸が平行となる規定位置に配置することができる。同様の構成が、後側ギヤ４５５の歯部４７２における前側端部にも設けられ、図２０（ｂ）に示すように、その歯部４７２の間に形成される一部（本実施形態においては１つ）の溝のみが塞がれていない形状とされ、他の歯部４７２の間が前後に厚みを有する板状の閉塞部としての後側基部４７３の一部で塞がれた形状とされている。また、連動ギヤ３０９において一部（本実施形態においては１つ）の歯部４８２のみが前方側に長く形成され、その前側に長い歯部４８２が前後方向に連通する溝に入り込むことで、後側ギヤ４５５と連動ギヤ３０９とが規定位置に配置される。これら構成により、連動ギヤ３０９および後側ギヤ４５５は、設計上の相対的な回動位置に対して位置ずれした状態では組み付け不能とされている。
【０１５４】
連動ギヤ３０９および後側ギヤ４５５における歯部４７２，４８２の間の溝を塞ぐ閉塞部は、後側ギヤ４５５においては前側とし、連動ギヤ３０９においては後側とされている。このため、操作ベース４６に対して、その前側から可変抵抗器３０７および連動ギヤ３０９を予め規定位置に配置し、その後に中央ギヤユニット３０８を、閉塞部４８３のない溝に対して前後に長い歯部４７２が噛み合う位置で後側にスライド移動して組み付け可能とすることができる。よって、ギヤ付勢バネ４５６によって前後２つのギヤ４５４，４５５に付勢力が付加された中央ギヤユニット３０８に異常や破損等が生じた場合に、連動ギヤ３０９取り外すこと無く中央ギヤユニット３０８を取り外して確認をし、また交換をすることができ、作業の容易化が図られている。
【０１５５】
また、後側ギヤ４５５において後側に長い２つの歯部４７２は、閉塞部に塞がれていない溝の両側に設けられ、また、連動ギヤ３０９において前側に長く形成された１つの歯部４８２は、閉塞部４８３が設けられずに後側に長く形成された２つの溝の間に設けられている。このため、操作ベース４６の前側から視認した際に、長く延びて形成された歯部４７２，４８２を閉塞部の有無によって確認することができ、一層の作業の容易化が図られている。
【０１５６】
可変抵抗器３０７は、遊技者による操作ハンドル４７および調整操作レバー３３４に対する発射操作量を検出するセンサであり、図１８（ｂ）に示すように、操作ベース４６の大径部３１２と胴部３１１との間に挟まれて支持されている。可変抵抗器３０７の回動軸３０７ａは、３６０度以上に回動自在に支持され、その回動軸３０７ａが一回転する間の角度に応じて抵抗値が変化する。このため、可変抵抗器３０７の抵抗値は、その回動軸３０７ａに嵌合される連動ギヤ３０９の回動量に応じて変化し、その抵抗値に応じて変化した信号が発射を制御する制御装置に入力される。その信号に応じて遊技球発射機構１１０を構成するソレノイド１１１の移動速度が制御装置により制御され、可変抵抗器３０７の抵抗の変化量に対して遊技球の発射力が変化することとなる。可変抵抗器３０７の回動軸３０７ａの回動量は、増大するほど遊技球の発射力が増大し、減少すると遊技球の発射力が低下する。この可変抵抗器３０７および発射制御の詳細については、周知の構成であり、詳細な説明は省略する。
【０１５７】
次に、操作ハンドル４７、調整操作レバー３３４、調整伝達部材３３５、中央ギヤユニット３０８および連動ギヤ３０９の相対位置について、図２０（ｂ）に示す初期状態を参照して説明する。初期状態においては、操作ハンドル４７がハンドル用バネ３０４により反時計回り方向側に付勢され、それに伴い調整操作レバー３３４および調整伝達部材３３５は、図２０（ｂ）に示すように、反時計回り方向側に最大限に回動した位置に配置される。また、初期状態においては、ねじりコイルバネの付勢力によって調整操作レバー３３４の調整操作部４３１が外方側に突出し、調整伝達部材３３５が正面視時計回り方向側に回動した状態に配置される。この初期状態において、操作ハンドル４７の調整伝達部材３３５の歯部４４３は、調整伝達部材３３５の回動中心としての支持孔を基準とした反時計回り方向側の端部において中央ギヤユニット３０８の前側ギヤ４５４の歯部４６２と噛み合う位置に配置されている。
【０１５８】
初期状態において、中央ギヤユニット３０８は、図２０（ｂ）に示すように、前側ギヤ４５４の歯部４６２が前側ギヤ４５４の回動中心としての支持軸４５３を基準とした時計回り方向側の端部において調整伝達部材３３５の歯部４４３と噛み合う位置に設けられている。初期状態においては、操作ハンドル４７がハンドル用バネ３０４により反時計回り方向側に付勢されることで調整伝達部材３３５の歯部４４３も支持軸４５３を中心とした反時計回り方向側に最大限に回動した位置に配置され、この初期状態において前側ギヤ４５４は反時計回り方向側に最大限に回動した位置に配置されることとなる。
【０１５９】
初期状態において、後側ギヤ４５５は、前側ギヤ４５４に対してギヤ付勢バネ４５６の付勢力により反時計回り方向側に最大限に回動した基本状態とされている。この基本状態において後側ギヤ４５５の複数の歯部４７２は、後側ギヤ４５５の回動中心としての支持軸４５３を基準とした時計回り方向側の端部において連動ギヤ３０９の歯部４８２と噛み合う位置に設けられている。
【０１６０】
初期状態において、連動ギヤ３０９の歯部４８２は、前側に長く形成された１の歯部４８２が後側ギヤ４５５の歯部４７２の間で前側に連通する１の溝に噛み合わされる設定とされている。この設定により、連動ギヤ３０９および中央ギヤユニット３０８の組み付け位置が操作ベース４６の前面側から確認し易く、後側ギヤ４５５の歯部４７２の間の溝のうち前側に連通した溝に対して、連動ギヤ３０９において手前側に長く延びた歯部４８２に噛み合わせることが容易とされている。しかも、連動ギヤ３０９において手前側に長く延びた歯部４８２の両側の溝のみが奥側に長く連通するように形成され、手前側に長い歯部４８２の位置も容易に認識することができ、組み付け作業を一層容易にすることができる。
【０１６１】
遊技者が発射操作をする場合には、初期状態に対して、操作ハンドル４７を正面視時計回り方向側に回動操作する。通常の遊技状態においては、上記したように、遊技領域２３ａの左側領域ＰＥ１を流下するように、基準回動量より少ない例えば４５度の回動量で操作ハンドル４７を回動操作した左打ち操作状態とする。
【０１６２】
初期状態に対して操作ハンドル４７を４５度回動操作した状態においては、図２１（ａ）に示すように、調整操作レバー３３４および調整伝達部材３３５が初期状態に対して時計回り方向側に４５度回動した位置に配置される。調整伝達部材３３５の歯部４４３の位置が支持軸４５３を中心に回動することに伴い、中央ギヤユニット３０８も４５度回動し、その回動に連動して連動ギヤ３０９も反時計回り方向側に回動する。この連動ギヤ３０９の回動により可変抵抗器３０７の抵抗値が変化し、その抵抗値に応じた発射力で遊技球が発射され、遊技領域２３ａの左側領域ＰＥ１を遊技球が流下する左打ち操作状態となる。この左打ち操作状態においては、連動ギヤ３０９は、初期状態に対して略１２０度回動する。左打ち操作状態に対して操作ハンドル４７から手を離すと、操作ハンドル４７は、ハンドル用バネ３０４の付勢力により初期状態まで復帰し、それに伴って中央ギヤユニット３０８および連動ギヤ３０９も初期状態に対応する位置に復帰する。
【０１６３】
左打ち操作状態において、調整操作レバー３３４の調整操作部４３１を押し込み操作すると、調整操作レバー３３４は、その支持孔を中心に正面視時計回りに回動し、最大に押し込み操作されると、その回動量が略２０度とされた最大調整状態となる（図２１（ｂ）の状態）。調整操作レバー３３４の回動に連動して、調整伝達部材３３５は、その支持孔に対して正面視反時計回りに回動する。調整伝達部材３３５の回動に伴い、中央ギヤユニット３０８の前側ギヤ４５４が支持軸４５３を中心として正面視時計回りに略１００度回動し、前側ギヤ４５４の回動に伴い、後側ギヤ４５５も回動する。後側ギヤ４５５は、初期状態に対して最大回動量に相当する略１１０度回動した位置に達し、それ以上の回動が阻止される。連動ギヤ３０９も、後側ギヤ４５５の回動量に応じた量分、回動することとなり、連動ギヤ３０９は、初期状態に対して、略２２０度回動して最大回動量となる。
【０１６４】
連動ギヤ３０９が最大回動量分回動した状態においては、遊技球の発射力は最大となり、遊技球が遊技領域２３ａの右側を流下する右打ち操作状態となる。前側ギヤ４５４の回動量に対して後側ギヤ４５５の回動量が少ない分については、前側ギヤ４５４が後側ギヤ４５５に対して正面視時計回り方向側に相対的に回動することとなる。最大調整状態に対して調整操作部４３１の押し込み操作をやめて調整操作部４３１から指を離すと、調整伝達部材３３５とハンドル本体３３１との間のねじりコイルバネにより、図１７（ａ）に示す通常状態に調整伝達部材３３５が復帰し、それに伴い調整操作レバー３３４および中央ギヤユニット３０８も元の左打ち操作状態に対応した位置に復帰する。
【０１６５】
左打ち操作状態に対して、調整操作レバー３３４の調整操作部４３１を押し込み操作することなく、操作ハンドル４７を更に正面視時計回り方向側に回動させても、遊技者は、遊技領域２３ａの右側領域に遊技球を発射させることができる。操作ハンドル４７を最大回動量まで回動したハンドル最大操作状態においては、図２２（ａ）に示すように、初期状態に対して操作ハンドル４７は、略１１０度回動し、調整操作レバー３３４および調整伝達部材３３５が初期状態に対して時計回り方向側に１１０度回動した位置に配置される。中央ギヤユニット３０８も初期状態に対して略１１０度回動し、その回動に連動して連動ギヤ３０９も反時計回り方向側に回動する。この連動ギヤ３０９の回動により可変抵抗器３０７の抵抗値が初期状態に対して最小または最大の値に変化し、その抵抗値に応じた発射力として遊技球の発射力は最大となり、遊技球が遊技領域２３ａの右側を流下する右打ち操作状態となる。この状態において、連動ギヤ３０９は、初期状態に対して略２２０度回動することとなり、操作ハンドル４７を４５度回動操作した状態において、調整操作レバー３３４を操作した場合と同じ状態に連動ギヤ３０９が配置される。
【０１６６】
遊技者が左打ち操作状態から右打ち操作状態へ切り替え操作をする場合には、左打ち操作状態に対して操作ハンドル４７を更に回動操作しても良いし、または、調整操作レバー３３４を操作して右打ち操作状態とすることもできる。また、左打ち操作状態と右打ち操作状態との間の発射力とする場合には、左打ち操作状態に対して操作ハンドル４７の回動量または調整操作レバー３３４の調整操作部４３１の押し込み量を最大より少なく調整する。連動ギヤ３０９の回動量が最大回動量より少なくなるため、その連動ギヤ３０９の回動量が減少した分、弱められた発射力で遊技球が発射される。遊技者は、右打ち操作状態が必要となった場合に、操作ハンドル４７または調整操作レバー３３４のうち、自身が操作しやすい一方の操作方法で右打ち操作状態を選択実施することができ、遊技者にとって操作性の良い発射操作が可能なパチンコ機１０とすることができる。
【０１６７】
遊技者が操作ハンドル４７を最大に回動操作したハンドル最大操作状態において、調整操作部４３１を押し込み操作した場合には、図２２（ｂ）に示すように、前側ギヤ４５４は調整伝達部材３３５の歯部４４３の噛み合い位置の移動に伴って回動するものの、後側ギヤ４５５は最大回動量に達しているため、それ以上の回動をすることができない。このため、後側ギヤ４５５に対して前側ギヤ４５４が正面視時計回り方向側に相対的に回動することとなり、ギヤ付勢バネ４５６のねじり量が次第に増大することとなる。すなわち、中央ギヤユニット３０８を前後２つのギヤ４５４，４５５で形成し、操作ハンドル４７が一定量以上に操作された状態で調整操作レバー３３４が調整操作された場合については、一部の操作が連動ギヤ３０９に伝達されずに連動ギヤ３０９が一定量以上に回動しない構成とされている。よって、従来と同様の可変抵抗器３０７の回動量の設定およびその抵抗値の検出に応じた発射制御としても、調整操作部４３１による右打ち操作状態の発射操作を実現することができる。
【０１６８】
上記した発射操作装置４５によれば、以下の効果を奏する。
【０１６９】
操作ハンドル４７には、停止操作レバー３３３と調整操作レバー３３４とが一体化して設けられている。このため、操作ハンドル４７の回動操作に伴って停止操作レバー３３３および調整操作レバー３３４が移動する。操作ハンドル４７の初期状態と各操作状態とにおいて、指掛け部３５１〜３５４に対して各操作レバー３３３，３３４の相対位置が変化しないため、操作ハンドル４７の回動量に関わらず、一定の指の移動で各操作レバー３３３，３３４を操作することができ、操作ハンドル４７と各操作レバー３３３，３３４の操作性を好適なものとすることができる。
【０１７０】
ハンドルカバー３３２の正面視で複数箇所に凹み部３７３，３７４を設けて、停止操作レバー３３３と調整操作レバー３３４とを前後に重なることなく正面視で別位置に配置して一体化している。このため、操作ハンドル４７としての前後方向における厚みを少なくすることができ、操作ハンドル４７を小型にして手の小さな遊技者でも容易に把持可能な操作ハンドル４７とすることができる。
【０１７１】
操作ハンドル４７において停止操作レバー３３３および調整操作レバー３３４の前後には、ハンドル本体３３１とハンドルカバー３３２とが位置し、これら操作レバー３３３，３３４は、ハンドル本体３３１とハンドルカバー３３２との間部分から側方に貫通する貫通穴を通じて内外に連続する形状とされている。このため、各操作レバー３３３，３３４の開口が操作ハンドル４７単体として貫通する穴形状の開口となり、操作ハンドル４７の前側または後側に開口するコ字状の開口を形成して各操作レバーを配置するよりも、隙間を少なく設定することができ、不正な工具や異物の発射操作装置４５内部への侵入を困難なものとすることができる。
【０１７２】
停止操作レバー３３３および調整操作レバー３３４は、操作ハンドル４７の回動中心軸を基準として、一方側に調整操作レバー３３４が設けられ、その反対側に停止操作レバー３３３が設けられている。そして、操作ハンドル４７は、半周より少ない略１１０度の回動操作量に動作範囲が設定されているので、停止操作レバー３３３と調整操作レバー３３４とに連動する部位を操作ハンドル４７の回動中心軸と同軸に設けられる支持軸４５３を基準とした両側に配置することができる。すなわち、連動ギヤ３０９と、停止操作伝達部材４０１の操作受け部４１３とを支持軸４５３の両側にそれぞれ配置することができる。よって、停止操作レバー３３３および調整操作レバー３３４に連動する部材を操作ハンドル４７の回動中心軸に近い一定範囲内に配置しやすくして、操作ハンドル４７および操作ベース４６を小型に形成することができる。
【０１７３】
操作ハンドル４７の回動中心軸に対して離間する方向側に突出する第２指掛け部３５２におけるハンドル用バネ３０４の付勢力が作用する正面視反時計回り方向とは逆方向である時計回り方向を向いた面側に、遊技者によって操作ハンドル４７の回動操作とは別の操作をするための調整操作部４３１が設けられている。このため、遊技者は、ハンドル用バネ３０４の付勢力に抗する方向側へ操作ハンドル４７の操作力を付加しつつ、その操作力を付加した状態で、その操作力とは反対方向側へ調整操作部４３１を操作することとなる。遊技者自身の手で操作ハンドル４７と調整操作部４３１とに対して互いに反対方向側への力を付加して操作することとなるので、調整操作部４３１に対する操作力に対しての対抗力の調整が容易であり、且つ、その対抗力は元々操作ハンドル４７に対して力を加えている方向と同一方向である。よって、操作ハンドル４７の回動方向とは異なる方向側へ操作力を付加して調整操作部４３１を操作する場合に比べて、操作ハンドル４７の回動位置を変化させることなく、調整操作部４３１に容易に操作力を付加することができる。
【０１７４】
操作ハンドル４７の第２指掛け部３５２に対して遊技者が操作ハンドル４７を回動操作する際に力を加える面側は、ハンドル用バネ３０４の付勢力が作用する反時計回り方向側を向く面であり、この面側とは逆側を向く面側に調整操作部４３１が設けられている。このため、操作ハンドル４７に対しての操作性は、従来品と比べて低下することがなく、また、操作ハンドル４７の見栄えを従来に近いものとして遊技者にとって違和感の少ない操作ハンドル４７に調整操作部４３１を付加することができる。よって、従来通りの操作を望む遊技者は、従来と同様に操作ハンドル４７の回動操作量を変化させて左打ち操作状態および右打ち操作状態を切り替えることができ、調整操作部４３１の付加に伴う操作性の低下をまったく生じない発射操作装置４５とすることができる。
【０１７５】
調整操作部４３１は、第２指掛け部３５２の突出先端部側で回動可能に支持され、初期状態に対して調整操作部４３１の押し込み操作量が増大するほど、次第にハンドル用バネ３０４の付勢力が作用する反時計回り方向とは逆方向である時計回り方向側を向くように調整操作部４３１の正面視における外面が位置することとなる。調整操作部４３１が設けられる調整操作レバー３３４は、調整伝達部材３３５とハンドル本体３３１との間に設けられるねじりコイルバネによる反力が作用し、この反力はコイルバネの特性により調整操作部４３１の操作量が増大するほどに大きくなるが、調整操作部４３１に対する操作力が増大する場合ほど、操作ハンドル４７の回動操作方向側に調整操作部４３１の外面が向くこととなる。遊技者は、右手の親指で操作ハンドル４７に時計回り方向側の力を加えつつ、人差し指または中指を親指のある側へ摘むように力を加えて調整操作部４３１を操作することとなり、親指と、人差し指または中指とに均等に力が増大するように操作ハンドル４７と調整操作部４３１に力を加えて、調整操作部４３１の操作量だけを容易に変化させることができる。この操作を容易にすることで、操作ハンドル４７の回動操作方向側の位置ずれを最小限に抑えることができ、左打ち操作状態と右打ち操作状態との切り替え時において、元々遊技者が好適だと考えて操作していた発射位置に容易に復帰操作することができる。
【０１７６】
調整操作部４３１は、初期状態において上方側に突出する第２指掛け部３５２に設けられ、この第２指掛け部３５２は、第１指掛け部３５１に対して正面視時計回り方向に略８０度回動した位置に設けられている。この第２指掛け部が設けられる位置は、第１指掛け部３５１に親指を掛けて操作ハンドル４７を回動操作する場合に、人差し指または中指が位置しやすい部位であり、この部位に調整操作部４３１が設けられることで、第１指掛け部３５１に親指を掛けた状態で調整操作部４３１を人差し指または中指で容易に操作することができる。
【０１７７】
調整操作部４３１は、操作ハンドル４７の回動中心軸に対して近づく方向側に動作可能に設けられ、停止操作部３８１は、操作ハンドル４７の回動中心軸に対して調整操作部４３１とは逆側に設けられ、調整操作部４３１に近づく方向側へ向けて動作可能に設けられている（図１４参照）。このため、左打ち操作状態に対して調整操作部４３１を押し込んだ調整操作状態として右打ち操作状態とし、その操作状態で停止操作部３８１を押し込むと、調整操作部４３１を操作した指と停止操作部３８１を操作した指とによって操作ハンドル４７の外周を挟んだ状態となり、回動中心に向かって両側から大きな力が作用することとなる。そして調整操作部４３１と停止操作部３８１との相対位置は、操作ハンドル４７の回動量に関わらず、一定の位置関係とされている。従って、操作ハンドル４７の回動量に関わらず、調整操作状態における停止操作によって操作ハンドル４７の回動方向への操作力が生じにくく、操作ハンドル４７の操作位置が遊技者の意図に反して移動しにくい操作性の良好な発射操作装置４５を提供することができる。
【０１７８】
ここで、調整操作部４３１の外面が正面視で凹んだ形状とされ、その凹んだ部位を形成する面は、その面に垂直な仮想線として停止操作部３８１に向かう仮想線Ｌ１を形成する部位と、第１指掛け部３５１における反時計回り方向側を向く面に向かう仮想線Ｌ２を形成する部位とを有する連続した曲面形状とすることが好ましい（図１４（ａ）参照）。これにより、調整操作部４３１の外面を１本の指で操作する場合に、操作位置を移動させることなく、調整操作部４３１に対する調整操作中には必ず操作中となる操作ハンドル４７に対する回動操作と、調整操作中における停止操作部３８１に対する停止操作が、いずれも操作し易いものとすることができる。
【０１７９】
発射操作装置４５の内部空間において、停止操作レバー３３３と、発射止めスイッチ３０６との間には停止操作伝達部材４０１の操作受け部４１３が設けられている。また、調整操作レバー３３４と、可変抵抗器３０７との間には内部カバー部材４０２が設けられている（図１８（ｂ）参照）。すなわち、操作ベース４６の内部空間において、各操作レバー３３３，３３４と、操作ベース４６に設けられて各操作レバー３３３，３３４に対する操作を電気的に検出する検出手段としての発射止めスイッチ３０６および可変抵抗器３０７との間が、停止操作伝達部材４０１の操作受け部４１３および内部カバー部材４０２によって仕切られた状態とされている。このため、操作ハンドル４７に形成される各操作レバー３３３，３３４用の開口から異物を挿入しても、その異物が検出手段に達することを抑制することができる。例えば、不正な信号を入力するための配線を差し入れて、発射力や発射間隔を変化させて不正に遊技球が入賞口等に入賞しやすくなるような不正行為や、悪戯として飲み物を流し込んで検出手段としての発射止めスイッチ３０６や可変抵抗器３０７が故障するといった不正行為を防止することができる。
【０１８０】
停止操作伝達部材４０１の操作受け部４１３および内部カバー部材４０２は、操作ハンドル４７の回動軸方向視において、操作ベース４６の内部空間における左右両側の領域に重ならないようにして別々に配置されている（図２０（ａ）参照）。また、停止操作伝達部材４０１の操作受け部４１３および内部カバー部材４０２は、操作ハンドル４７の回動中心軸の軸方向において、一部が同一となる前後位置となるようにして設けられている（図１８（ｂ）参照）。このため、操作ベース４６の前後方向における空間を２つの部材によって前後に仕切ることができ、各操作レバー３３３，３３４に対する検出手段としての発射止めスイッチ３０６および可変抵抗器３０７に対する不正行為を防止しつつ、発射止めスイッチ３０６および可変抵抗器３０７を操作ハンドル４７の回動中心軸に近づけて配置することができ、操作ベース４６の外形を小さく、また、前後寸法を短く小型に形成することができる。従って、操作ベース４６の外形の大型化に伴う操作ハンドル４７の大型化を防止し、且つ、回動操作とは別の停止操作および調整操作が可能であって遊技者が把持し易い操作ハンドル４７とすることができる。
【０１８１】
停止操作伝達部材４０１の操作受け部４１３は、停止操作レバー３３３の押し込み操作に対して後側に移動し、操作ハンドル４７の回動中心軸の軸方向に沿って動作可能とされている。発射止めスイッチ３０６は、停止操作レバー３３３に対する操作に連動する操作受け部４１３の動作を検出して、停止操作レバー３３３に対する操作を検出する。このため、操作ベース４６の内部空間が操作受け部４１３によって前後に仕切られた状態が操作受け部４１３の動作前後において維持されることとなる。よって、操作受け部４１３によって操作ベース４６の内部空間が仕切られる範囲を広く形成することができ、不正行為の影響を一層受けにくくすることができる。
【０１８２】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０１８３】
上記実施形態においては、操作ハンドル４７の第２指掛け部３５２に設けた調整操作部４３１は発射力を調整操作するための操作部として設けたが、必ずしも第２指掛け部３５２に調整操作をするための操作部を設ける必要はなく、調整操作レバー３３４に対して遊技者によって入力操作が行われることで表示画面９４ａの表示内容に作用して表示演出の内容を選択操作したり、表示演出の表示時期を決定したりする操作スイッチの操作部としても良く、この場合には、上記実施形態における発射止めスイッチ３０６を操作スイッチとして表示内容を制御する制御装置に接続しても良く、または、調整操作レバー３３４に対する操作により遊技球の発射が停止する停止操作部としても良いし、球貸し用のカードユニットに対する球貸し操作やカードの返却操作等のための他の操作部としても良い。また、停止操作部３８１と調整操作部４３１とが逆に設けられ、第２指掛け部３５２に対する操作によって停止操作が行われ、操作ハンドル４７の初期状態における左下側部分に対する操作によって調整操作が行われることとしても良い。また、停止操作部３８１は、操作ハンドル４７に必ずしも設ける必要はなく、操作ベース４６等、別の部位に設けられても良い。
【０１８４】
上記実施形態においては、調整操作部４３１は、初期状態において上方側に突出する第２指掛け部３５２の右側部分に設けられていたが、第３指掛け部３５３の右側部分等、他の指掛け部に設けられても良い。また、第２指掛け部３５２は、第１指掛け部３５１に対して、発射操作装置の正面視時計回り方向に略８０度回動した位置に設けられていたが、その角度以外の位置に設けられても良い。ただし、遊技者が第１指掛け部３５１の親指を掛けた状態で調整操作部４３１を他の指で操作する場合に、片手で摘むような操作によって調整操作を容易に実行可能なように、調整操作部４３１が設けられる指掛け部は、第１指掛け部に対して、時計回り方向側に略５０度から略１３０度離間した範囲内に設けられることが好ましく、更には、略７０度から１１０度離間した範囲内に設けられることが好適である。
【０１８５】
上記実施形態においては、操作ハンドル４７の回動量は、略１１０度に設定したが、必ずしも略１１０度に設定する必要はないものの、半周以下、すなわち１８０度以下に設定することが、停止操作レバー３３３と調整操作レバー３３４といった複数の操作部を操作ハンドル４７に一体化して設け、その操作を電気的に検出するセンサを操作ベース４６に設ける場合に好ましい。操作ハンドル４７および操作ベース４６を小型に形成しつつ、操作ベース４６の内部空間を各操作部の操作を検出する領域として左右等に別々に形成して、内部空間を有効活用することができる。
【０１８６】
上記実施形態においては、調整操作部４３１は、第２指掛け部３５２の先端部を中心に回動する支持構造とされていたが、調整操作部４３１は、必ずしも回動するものでなく、直線的にスライド移動する支持構造としても良い。この場合に、調整操作部４３１がスライド移動する方向は、操作ハンドル４７に対してハンドル用バネ３０４による付勢力が作用する方向と同一又は同一側の方向とすることが操作ハンドル４７に対する回動操作中における調整操作を容易にすることができて好ましく、また、通常位置に対して操作することで停止操作部３８１に近づく方向に設定することが調整操作中における停止操作を容易にすることができて好ましく、また、第１指掛け部３５１に近づく方向に設定することが操作ハンドル４７の操作中における調整操作を容易にすることができて好ましい。
【０１８７】
上記実施形態においては、左側領域ＰＥ１と右側領域ＰＥ２とのうち、一方側への遊技球の発射により、上作動口８３ａ、スルーゲート８４および可変入賞装置８２等の入賞口への遊技球の入球がし易くなる配置および釘等の設定とされたが、必ずしも上記構成とする必要はなく、上記した側とは反対側へ遊技球を流下させた場合に、スルーゲート８４等の各入賞口等へ遊技球が入賞する構成としても良いし、下側領域ＰＥ３には各入賞口等を設けず、左側領域ＰＥ１および右側領域ＰＥ２に各入賞口の全てを配置していずれか一方側に遊技球を流下させてその方向側に設けられる入賞口等に選択的に遊技球が入賞する構成としても良い。
【０１８８】
上記実施形態においては、初期状態において調整操作レバー３３４に対して調整操作をした場合に遊技球が発射されない構成としたが、初期状態において調整操作レバー３３４に対して調整操作をした場合に遊技球が発射される構成としても良く、例えば、停止操作伝達部材４０１の突出片４１３ｃおよびハンドルカバー３３２の後側突部３７７の少なくとも一方を設けないようにして上記機能を実現しても良い。
【０１８９】
上記実施形態においては、中央ギヤユニット３０８により、操作ハンドル４７が一定量以上回動操作された状態において調整操作レバー３３４が調整操作された場合に連動ギヤ３０９が回動しない構成としたが、必ずしも中央ギヤユニット３０８にて前後２つのギヤを重なるようにして一定量以上の回動操作が伝達されない構成とする必要はなく、他の部位で回動操作が伝達されない構成を設けても良い。例えば、連動ギヤ３０９の前側にねじりコイルバネを介して他のギヤを配置することで、中央ギヤユニット３０８における前後のギヤ４５４，４５５と同様の構成を設けて一定量以上の回動操作が伝達されない構成としても良い。
【０１９０】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機として実施しても良い。また、大当たり図柄が表示された後に、所定の領域に球が入賞することを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。
【０１９１】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０１９２】
＜特徴Ａ群＞
遊技機の一種であるパチンコ機は、遊技機本体の前面部に発射操作装置を備えており、発射操作装置が操作されることで発射装置が動作し、遊技領域の上部に遊技球が発射される（例えば、特開２００６−３０５０７９号参照）。
【０１９３】
従来の発射操作装置は、遊技機本体に固定された基部と、発射操作装置の前面部を構成する前面カバーと、これら基部及び前面カバーの間において回動自在に設けられ、遊技球の発射操作に際して回動操作される操作ハンドルと、を備えている。遊技者は、操作ハンドルの回動操作量を調整し、所望の飛距離となる回動操作位置に操作ハンドルを保持した姿勢を維持して遊技を行う。
【０１９４】
しかしながら、遊技球の発射操作は、遊技者が長時間にわたって実施するものであり、操作性が一層高められて遊技者の利便性が高められることが好ましいものの、その改良が難しいという問題点がある。
【０１９５】
＜特徴Ａ１＞
遊技者によって回動操作される回動操作部材（操作ハンドル４７）と、
該回動操作部材を一方の回動方向側へ付勢する付勢手段（ハンドル用バネ３０４）と、を備えた遊技機において、
前記回動操作部材には、該回動操作部材の回動中心軸に対して離間する方向側に突出する突出部（第２指掛け部３５２）が設けられ、
該突出部における前記付勢手段の付勢力が作用する方向とは逆方向を向いた面側に、遊技者によって前記回動操作とは別の操作をするための第２操作部（調整操作部４３１）が設けられていることを特徴とする遊技機。
【０１９６】
特徴Ａ１記載の遊技機によれば、遊技球を発射させる場合の操作性を高めることが可能な遊技機を提供することができる。すなわち、突出部における付勢手段の付勢力が作用する方向とは逆方向を向いた面側に、遊技者によって回動操作部材の回動操作とは別の操作をするための第２操作部が設けられている。このため、遊技者は、付勢手段の付勢力に抗する方向側へ回動操作部材の操作力を付加しつつ、その操作力を付加した状態で、その操作力とは反対方向側へ第２操作部を操作することとなる。遊技者自身の手で回動操作部材と第２操作部とに対して互いに反対方向側への力を付加して操作することとなるので、第２操作部に対する操作力に対しての対抗力の調整が容易であり、且つ、その対抗力は元々回動操作部材に対して力を加えている方向と同一方向である。よって、回動操作部材の回動方向とは異なる方向側へ操作力を付加して第２操作部を操作する場合に比べて、容易に第２操作部に対して操作力を付加することができるという効果がある。
【０１９７】
また、従来、回動操作部材には突出部が設けられて回動操作部材の操作性を容易とすることが多いものの、特徴Ａ１記載の遊技機によれば、回動操作部材の突出部に対して遊技者が力を加える部位とは別の部位に第２操作部が設けられる。このため、回動操作部材に対しての操作性を従来と同等とし、また、回動操作部材の見栄えを従来に近いものとして遊技者にとって違和感の少ない回動操作部材に第２操作部を付加することができる。
【０１９８】
＜特徴Ａ２＞
前記第２操作部は、通常位置と、該通常位置に対して前記付勢手段の付勢力が作用する方向と同一の方向側に移動する操作位置との間を移動可能であって前記通常位置側に向かう付勢力が付与されていることを特徴とする特徴Ａ１記載の遊技機。
【０１９９】
特徴Ａ２記載の遊技機によれば、遊技者の親指と、親指以外の人差し指または中指等に均等に力が増大するように第２操作部に力を加えて、第２操作部だけを容易に操作することができる。この操作を容易にすることで、回動操作部材の回動操作方向側の位置ずれを最小限に抑えることができ、遊技者の意図する発射位置に容易に発射操作することができる。
【０２００】
＜特徴Ａ３＞
前記第２操作部は、前記回動操作部材の回動中心軸と同一方向側に延び、前記突出部の先端側を中心に回動可能に設けられ、前記第２操作部の操作量の増大に伴って次第に前記付勢手段の付勢力が作用する方向と反対方向側に該第２操作部の外面が向く構成とされていることを特徴とする特徴Ａ２記載の遊技機。
【０２０１】
特徴Ａ３記載の遊技機によれば、突出部の形状を利用して第２操作部の支持構造を形成することができ、従来の回動操作部材との外見をほとんど変えることなく、回動操作部材および第２操作部の操作性を高めることができる。
【０２０２】
＜特徴Ａ４＞
遊技球が流下する遊技領域を形成する遊技手段（遊技盤２３）と、
前記遊技領域内に向けて遊技球を発射する発射手段（ソレノイド１１１）と、を備え、
前記遊技手段は、前記遊技領域の入口に近い側と、該入口から離れた側とに遊技球を分岐させる分岐部材（センターフレーム９５）を備え、
前記回動操作部材は、回動量に応じて遊技球の発射力を変化させる回動操作が行われる部材であって遊技機の左右方向における一方側の下側角部に設けられ、
前記突出部は、前記回動操作が行われていない状態で前記遊技機の左右方向における中央側に突出し、前記遊技球が前記遊技領域の入口に近い側を流下する発射力とする場合に次第に遊技機の上方側へ移動する第１突出部（第１指掛け部３５１）と、
該第１突出部より前記回動動作部材の回動中心軸方向視において前記遊技機の左右方向における外側に略５０度から１３０度離間した範囲内に設けられた第２突出部（第２指掛け部３５２）とを有し、
前記第２操作部は、前記第２突出部の一部外面を形成するようにして設けられ、前記遊技領域の入口に近い側に対して遊技球が発射されるように操作された状態において操作された場合に前記遊技領域の入口から離れた側に遊技球が発射される調整操作をするための部位であることを特徴とする特徴Ａ１からＡ３記載の遊技機。
【０２０３】
特徴Ａ４記載の遊技機によれば、第２操作部によって調整操作を実行することができ、この調整操作は、遊技機の左右方向における中央側に突出する第１突出部に親指を掛けて、第２突出部に相当する部位に人差し指または中指を掛けつつ回動操作部材に対して操作を実行して、複数の指を突出部に掛けて安定した発射操作を行うことができる。また、第１突出部に親指を掛けつつ、第２操作部に対して人差し指または中指を当てて調整操作を行うことで、親指と、人差し指または中指を近づける摘むような操作により調整操作を行うことができる。この配置に対しての操作により、回動操作部材に対しての回動操作と、調整操作とを容易に行うことができる。
【０２０４】
なお、第１突出部に対して第２突出部が離間した範囲とは、第１突出部における付勢手段の付勢力が作用する方向側を向いた面を基準として、回動操作部材の回動中心に対して第２突出部における付勢手段の付勢力が作用する方向側を向いた面が位置する部位まで離間した角度の範囲としても良い。また、第２突出部は、第１突出部より回動動作部材の回動中心軸方向視において前記遊技機の左右方向における外側に略７０度から１１０度離間した範囲内に設けられることが更に好ましい。
【０２０５】
＜特徴Ｂ群＞
遊技機の一種であるパチンコ機は、遊技機本体の前面部に発射操作装置を備えており、発射操作装置が操作されることで発射装置が動作し、遊技領域の上部に遊技球が発射される（例えば、特開２００６−３０５０７９号参照）。
【０２０６】
従来の発射操作装置は、遊技機本体に固定された基部と、発射操作装置の前面部を構成する前面カバーと、これら基部及び前面カバーの間において回動自在に設けられ、遊技球の発射操作に際して回動操作される操作ハンドルと、を備えている。遊技者は、操作ハンドルの回動操作量を調整し、所望の飛距離となる回動操作位置に操作ハンドルを保持した姿勢を維持して遊技を行う。
【０２０７】
しかしながら、遊技球の発射操作は、遊技者が長時間にわたって実施するものであり、操作性が一層高められて遊技者の利便性が高められることが好ましいものの、その改良が難しいという問題点がある。
【０２０８】
＜特徴Ｂ１＞
遊技者によって回動操作される回動操作部材（操作ハンドル４７）を備えた遊技機において、
前記回動操作部材の回動中心軸に対して一方側に設けられると共に、該回動操作部材と一体的に動作可能に設けられ、該回動操作部材に対して相対的に変位可能であって遊技者によって操作可能な第１操作部材（停止操作レバー３３３）と、
前記回動操作部材の回動中心軸を基準として前記第１操作部材が設けられる側とは逆側に設けられると共に、該回動操作部材と一体的に動作可能に設けられ、該回動動作部材に対して相対的に変位可能であって遊技者によって操作可能な第２操作部材（調整操作レバー３３４）とを備え、
該第２操作部材は、前記第１操作部材に対して前記回動操作部材の回動中心軸に沿った軸方向において少なくとも一部が同一位置に配置され、
前記回動操作部材は、半周より少ない回動操作量に動作範囲が設定されていることを特徴とする遊技機。
【０２０９】
特徴Ｂ１記載の遊技機によれば、複数の操作部材が回動操作部材と一体的に動作可能に設けられるので、回動操作部材の初期状態および各操作状態において、回動操作部材と複数の操作部材との相対位置が変化しない。よって、回動操作部材の回動量に関わらず、各操作部材の操作性を一定にすることができ、遊技者にとって各操作部材に対する操作がし易く、わかりやすい操作性を提供することができる。
【０２１０】
また、複数の操作部材は、回動操作部材の回動中心軸を基準として、一方側に第１操作部材が設けられ、その反対側に第２操作部材が設けられる。そして、回動操作部材は、半周より少ない回動操作量に動作範囲が設定されているので、第１操作部材と第２操作部材とに連動する部材を回動操作部材の回動中心軸を基準とした両側に配置することができる。よって、複数の操作部材を設けても回動操作部材としての厚みを少なくすることができ、また、複数の操作部材に連動する部位を回動操作部材の回動中心軸に近い一定範囲内に配置しやすくして、回動操作部材を小型に形成することができる。従って、複数の操作部材を有する回動操作部材を大型化せずに形成して、手の小さな遊技者でも発射操作がし易い遊技機を提供することができる。
【０２１１】
＜特徴Ｂ２＞
前記第１操作部材は、遊技者によって操作される部位であって前記回動中心軸に対して近づく方向側に動作可能に設けられた第１操作部（停止操作部３８１）を有し、
前記第２操作部材は、遊技者によって操作される部位であって前記回動中心軸に対して近づく方向側であって前記第１操作部に近づく方向側へ動作可能に設けられた第２操作部（調整操作部４３１）を有していることを特徴とする特徴Ｂ１記載の遊技機。
【０２１２】
特徴Ｂ２記載の遊技機によれば、第１操作部と第２操作部とが互いに回動操作部材の回動中心軸に近づく方向側に動作可能とされているので、第１操作部を操作した指と、第２操作部を操作した指とで回動操作部材の外周部分を挟んだ状態とすることができる。よって、第１操作部を操作している状態で第２操作部を操作することで回動操作部材の回動中心方向側に両側から大きな力を作用させることができ、回動操作部材の回動方向側への操作力が生じにくく、回動操作部材の操作位置が遊技者の意図に反して移動しにくい操作性の良好な遊技機を提供することができる。
【０２１３】
＜特徴Ｂ３＞
遊技球が流下する遊技領域を形成する遊技手段（遊技盤２３）と、
前記遊技領域内に向けて遊技球を発射する発射手段（ソレノイド１１１）と、を備え、
前記遊技手段は、前記遊技領域の入口に近い側と、該入口から離れた側とに遊技球を分岐させる分岐部材（センターフレーム９５）を備え、
前記回動操作部材は、回動量に応じて遊技球の発射力を変化させる回動操作が行われる部材であって遊技機の左右方向における一方側の下側角部に設けられ、
前記第１操作部材は、遊技球が発射操作されている状態において操作された場合に遊技球の発射を停止する停止操作をするための部材であり、
前記第２操作部材は、前記遊技領域の入口に近い側に対して遊技球が発射されるように操作された状態において操作された場合に前記遊技領域の入口から離れた側に遊技球が発射される調整操作をするための部材であることを特徴とする特徴Ｂ１またはＢ２記載の遊技機。
【０２１４】
特徴Ｂ３記載の遊技機によれば、停止操作をするための第１操作部材と、調整操作をするための第２操作部材とが回動操作部材の回動操作に連動するので、回動操作部材の回動操作量に関わらず、一定の指の移動で各操作部材を操作することができ、回動操作部材と各操作部材の操作性を好適なものとすることができる。また、停止操作及び調整操作をするための各操作部材およびそれに関する部材を回動操作部材の回動中心軸に近い位置にまとめて配置し、回動操作部材を大型化しないで発射操作に関する操作を好適に行うことができる遊技機を提供することができる。
【０２１５】
＜特徴Ｃ群＞
遊技機の一種であるパチンコ機は、遊技機本体の前面部に発射操作装置を備えており、発射操作装置が操作されることで発射装置が動作し、遊技領域の上部に遊技球が発射される（例えば、特開２００６−３０５０７９号参照）。
【０２１６】
従来の発射操作装置は、遊技機本体に固定された基部と、発射操作装置の前面部を構成する前面カバーと、これら基部及び前面カバーの間において回動自在に設けられ、遊技球の発射操作に際して回動操作される操作ハンドルと、を備えている。遊技者は、操作ハンドルの回動操作量を調整し、所望の飛距離となる回動操作位置に操作ハンドルを保持した姿勢を維持して遊技を行う。
【０２１７】
しかしながら、遊技球の発射操作が行われる部位は、遊技者が長時間にわたって触れている部位であるので、不正な遊技者によって不正行為が実施される可能性があるという問題点がある。
【０２１８】
＜特徴Ｃ１＞
遊技者によって回動操作される回動操作部材（操作ハンドル４７）と、該回動操作部材を回動可能に支持する支持手段（操作ベース４６）とを備えた遊技機において、
前記回動操作部材の回動中心軸に対して一方側に設けられると共に、該回動操作部材と一体的に動作可能に設けられ、該回動操作部材に対して相対的に変位可能であって遊技者によって操作可能な操作部材と、
該操作部材に対する操作を電気的に検出する手段であって前記支持手段側に設けられる検出手段と、
該検出手段と前記操作部材との間を仕切る仕切部材とを備えていることを特徴とする遊技機。
【０２１９】
特徴Ｃ１記載の遊技機によれば、不正行為の影響を受けにくい遊技機を提供することができる。すなわち、回動操作部材に設けられる操作部材と、支持手段側に設けられて操作部材に対する操作を電気的に検出する検出手段とが仕切部材によって仕切られるため、操作部材を設けることで形成される開口から異物を挿入しても、その異物が検出手段に達することを抑制することができ、不正行為の影響を受けにくい遊技機とすることができる。
【０２２０】
なお、支持手段側に設けられる検出手段とは、支持手段に設けられても良いし、支持手段と一体化される支持手段とは別の部材に設けられても良い。また、支持手段または支持手段とは別の部材によって形成される内部空間に設けられる検出手段としても良い。
【０２２１】
＜特徴Ｃ２＞
前記操作部材として、前記回動操作部材の回動中心軸に対して一方側に配置され、遊技球が発射操作されている状態において操作された場合に遊技球の発射を停止する停止操作をするための第１操作部材（停止操作レバー３３３）と、
前記回動操作部材の回動中心軸に対して前記一方側とは逆側となる他方側に配置され、前記遊技領域の入口に近い側に対して遊技球が発射されるように操作された状態において操作された場合に前記遊技領域の入口から離れた側に遊技球が発射される調整操作をするための第２操作部材（調整操作レバー３３４）とが設けられ、
前記検出手段は、前記第１操作部材に対応して該一方側を含む前記第１操作部材の動作範囲が位置する側に設けられる第１検出手段（発射止めスイッチ３０６）と、前記他方側を含む前記第２操作部材の動作範囲が位置する側に設けられる第２検出手段（可変抵抗器３０７）とを有し、
前記仕切部材として、前記第１検出手段と前記第１操作部材の間に位置する第１仕切部材（停止操作伝達部材４０１）と、前記第２検出手段と前記第２操作部材の間に位置する第２仕切部材（内部カバー部材４０２）とが、前記回動操作部材の回動中心軸の軸方向において少なくとも一部が同一位置となるようにして設けられていることを特徴とする特徴Ｃ１記載の遊技機。
【０２２２】
特徴Ｃ２記載の遊技機によれば、支持手段の内部空間の少なくとも一部が２つの仕切部材によって前後に仕切られる。このため、各操作部材に対する操作を検出する検出手段を狙った不正行為を一層抑制することができる。また、検出手段を回動操作部材の回動中心軸に近づけて配置することができ、支持手段の外形を小さくすることができる。さらに、第１仕切部材と第２仕切部材とは、回動操作部材の回動中心軸の軸方向において少なくとも一部が同一位置となるようにして設けられているので、支持手段の前後寸法を短く小型に形成することができる。よって、支持手段の外形の大型化に伴う回動操作部材の大型化を抑制し、且つ、回動操作とは別の操作が可能であって遊技者が把持し易い回動操作部材を備えた遊技機を提供することができる。
【０２２３】
＜特徴Ｃ３＞
前記仕切部材の少なくとも一部（停止操作伝達部材４０１の操作受け部４１３）は、前記操作部材（停止操作レバー３３３）に対する操作に応じて前記回動操作部材の回動中心軸の軸方向に沿って動作可能とされ、
前記検出手段（発射止めスイッチ３０６）は、前記操作部材に対する操作に連動する前記仕切部材の動作を検出して、前記操作部材に対する操作を検出することを特徴とする特徴Ｃ２記載の遊技機。
【０２２４】
特徴Ｃ３に記載の遊技機によれば、仕切部材の少なくとも一部が回動操作部材の回動中心軸の軸方向に沿って動作可能とされるので、支持手段の内部空間が前後に仕切られた状態が仕切部材の動作前後において維持され、この動作を検出して操作部材に対する操作が検出手段によって検出される。よって、仕切部材に前後に貫通する貫通穴を形成して操作部材に対する操作を検出するより、仕切部材によって仕切られる範囲を広く形成して、不正行為の影響を一層受けにくい遊技機とすることができる。
【０２２５】
なお、仕切部材の少なくとも一部が回動操作部材の回動中心軸の軸方向に沿って動作可能とは、仕切部材の一部が回動可能に支持された状態で、支持部から離れた部分が前後に揺動動作するものであっても良いし、仕切部材全体が前後にスライド移動するものであっても良い。
【０２２６】
なお、特徴Ａ１〜Ａ４、特徴Ｂ１〜Ｂ３および特徴Ｃ１〜Ｃ３に記載のいずれか１つの特徴を他のいずれか又は複数の特徴に組み合わせて適用しても良い。以下には、上記した各特徴を適用し得る遊技機の基本構成を示す。
【０２２７】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【産業上の利用可能性】
【０２２８】
以上のように、この発明は、パチンコ機等の遊技機に適している。
【符号の説明】
【０２２９】
１０…パチンコ機、２３…遊技盤、４７…操作ハンドル、９５…センターフレーム、１１１…ソレノイド、３０４…ハンドル用バネ、３０６…発射止めスイッチ、３０７…可変抵抗器、３３３…停止操作レバー、３３４…調整操作レバー、３５１…第１指掛け部、３５２…第２指掛け部、３８１…停止操作部、４０１…停止操作伝達部材、４０２…内部カバー部材、４１３…操作受け部、４３１…調整操作部、Ｃ…回動中心軸
【図１】
2014042541.tif 000003
【図２】
2014042541.tif 000004
【図３】
2014042541.tif 000005
【図４】
2014042541.tif 000006
【図５】
2014042541.tif 000007
【図６】
2014042541.tif 000008
【図７】
2014042541.tif 000009
【図８】
2014042541.tif 000010
【図９】
2014042541.tif 000011
【図１０】
2014042541.tif 000012
【図１１】
2014042541.tif 000013
【図１２】
2014042541.tif 000014
【図１３】
2014042541.tif 000015
【図１４】
2014042541.tif 000016
【図１５】
2014042541.tif 000017
【図１６】
2014042541.tif 000018
【図１７】
2014042541.tif 000019
【図１８】
2014042541.tif 000020
【図１９】
2014042541.tif 000021
【図２０】
2014042541.tif 000022
【図２１】
2014042541.tif 000023
【図２２】
2014042541.tif 000024
【図２３】
2014042541.tif 000025